(57)【特許請求の範囲】
【請求項１】
流体貯槽とインゼクタとを備えている流体供給源であって、該インゼクタは、該流体貯槽と流体的に相互に接続可能な注射器を備え、該流体貯槽は、造影剤を含む、流体供給源と、
再使用可能なチュービングセットと、
該再使用可能なチュービングセットによって該流体供給源と流体的に相互に接続可能な滅菌帯であって、該滅菌帯は、
該流体供給源と流体的に相互に接続可能な第１の容器であって、該流体貯槽からの造影剤が該第１の容器を通過せずに該インゼクタの注射器の中に流れることが可能であり、それにより、該流体貯槽および該インゼクタの各々は、該第１の容器の入口側にある、第１の容器と、
該第１の容器と流体的に相互に接続可能なフラッシュシステムであって、該インゼクタは、該フラッシュシステムの一部ではない、フラッシュシステムと
を備えている、滅菌帯と、
使い捨てのチュービングセットと、
該使い捨てのチュービングセットによって該滅菌帯と流体的に相互に接続可能な流体目標であって、該流体目標は、該第１の容器の外側にある、流体目標と
を備え、
第１の構成において、該流体供給源からの流体は、該フラッシュシステムが該第１の容器から流体的に隔離されている間に、該第１の容器に向けられて、供給のために、該第１の容器から該使い捨てのチュービングセットを介して該流体目標に向けられ、
第２の構成において、該フラッシュシステムは、該流体供給源および該流体目標の両方が該第１の容器から流体的に隔離されている間に、該フラッシュ媒体を該第１の容器を通るように向ける、流体送達システム。
【請求項２】
前記流体貯槽は、複数の流体送達処置に適応するある量の流体を含む、請求項１項に記載の流体送達システム。
【請求項３】
前記インゼクタは、パワーインゼクタを備えている、請求項１〜２のうちのいずれか１項に記載の流体送達システム。
【請求項４】
前記インゼクタは、手動注射器を備えている、請求項１〜２のうちのいずれか１項に記載の流体送達システム。
【請求項５】
前記フラッシュシステムは、フラッシュ源とフラッシュレセプタクルとを備え、該フラッシュ源および該フラッシュレセプタクルの各々は、前記第１の容器と流体的に相互に接続可能であり、該フラッシュ源は、前記フラッシュ媒体を含む、請求項１〜４のうちのいずれか１項に記載の流体送達システム。
【請求項６】
前記第１の容器は、
前記流体貯槽および前記フラッシュ源の各々と流体的に相互に接続可能な第１の入口ポートと、
前記流体目標および前記フラッシュレセプタクルの各々と流体的に相互に接続可能な第１の出口ポートと
を備え、
該第１の容器は、該流体貯槽から流体的に隔離され、該第１の入口ポートを通して該フラッシュ源と流体的に相互に接続されることが可能であり、
該第１の容器は、該流体目標から流体的に隔離され、該第１の出口ポートを通して該フラッシュレセプタクルに流体的に接続されることが可能であり、
該フラッシュ源からの該フラッシュ媒体は、該流体貯槽および該流体目標の各々が該第１の容器から流体的に隔離されている間に、該第１の入口ポートを通って該第１の容器の中に向けられて、該第１の出口ポートを通って該第１の容器から出るように向けられることが可能である、請求項５に記載の流体送達システム。
【請求項７】
前記第１の容器は、
前記流体貯槽と流体的に相互に接続可能な第１の入口ポートと、
前記フラッシュ源と流体的に相互に接続可能な第２の入口ポートと、
前記流体目標および前記フラッシュレセプタクルの各々と流体的に相互に接続可能な第１の出口ポートと
を備え、
該フラッシュ源からのフラッシュ媒体は、該流体貯槽および該流体目標の各々が該第１の容器から流体的に隔離されている間に、該第２の入口ポートを通って該第１の容器の中に向けられて、該第１の容器から該第１の出口ポートを通って該フラッシュレセプタクルに向けられることが可能である、請求項５に記載の流体送達システム。
【請求項８】
前記第１の容器は、
前記流体貯槽と流体的に相互に接続可能な第１の入口ポートと、
前記フラッシュ源と流体的に相互に接続可能な第２の入口ポートと、
前記流体目標と流体的に相互に接続可能な第１の出口ポートと、
前記フラッシュレセプタクルと流体的に相互に接続可能な第２の出口ポートと
を備え、
該フラッシュ源からのフラッシュ媒体は、該流体貯槽および該流体目標の各々が該第１の容器から流体的に隔離されている間に、該第２の入口ポートを通って該第１の容器の中に向けられて、該第１の容器から該第２の出口ポートを通って該フラッシュレセプタクルに向けられることが可能である、請求項５に記載の流体送達システム。
【請求項９】
前記第１の容器は、
前記流体貯槽と流体的に相互に接続可能な第１の入口ポートと、
前記フラッシュ源および前記フラッシュレセプタクルの各々と流体的に接続可能なフラッシュポートと、
前記流体目標と流体的に相互に接続可能な第１の出口ポートと
を備え、
該フラッシュ源からのフラッシュ媒体は、該流体貯槽および該流体目標の各々が該第１の容器から流体的に隔離されている間に、該フラッシュポートを通って該第１の容器の中に向けられて、該第１の容器から該第フラッシュポートを通って該フラッシュレセプタクルに向けられることが可能である、請求項５に記載の流体送達システム。
【請求項１０】
前記フラッシュ媒体は、アルコールと、蒸気と、ＥＴＯと、水と、空気と、不活性ガスと、複数の不活性ガスの組み合わせと、漂白剤と、過酸化水素と、酸素と、これらの任意の組み合わせとから成る群から選択される流体を備えている、請求項１〜９のうちのいずれか１項に記載の流体送達システム。
【請求項１１】
エネルギ源をさらに備え、前記第１の容器の少なくとも一部は、該エネルギ源の出力にさらされる、請求項１〜１０のいずれか１項に記載の流体送達システム。
【請求項１２】
前記エネルギ源は、放射線源を備えている、請求項１１に記載の流体送達システム。
【請求項１３】
前記出力は、熱、γ放射線、紫外光、赤外光、およびこれらの任意の組み合わせから成る群から選択される、請求項１１に記載の流体送達システム。
【請求項１４】
滅菌帯の第１の容器を通過せずに流体貯槽からインゼクタの注射器の中に造影剤を提供するステップと、
該インゼクタの該注射器から再使用可能なチュービングセットを通して該第１の容器の中に該造影剤の第１の流体量を向けるステップと、
該第１の容器から第１の使い捨てのチュービングセットを通して第１の流体目標に第１の投与量を送達するステップであって、該造影剤の該第１の流体量は、該第１の投与量を含む、ステップと、
該第１の投与量を送達するステップを終結するステップと、
該終結するステップ後に該第１の容器から該造影剤の該第１の流体量の任意の残りの少なくとも一部分を除去するステップと、
該除去するステップ後に該第１の容器を洗浄するステップと、
該第１の使い捨てのチュービングセットを第２の使い捨てのチュービングセットと交換するステップと、
該インゼクタの注射器から該再使用可能なチュービングセットを通して該第１の容器の中に該造影剤の第２の流体量を向けるステップと、
該第２の使い捨てのチュービングセットを通して第２の流体目標に第２の投与量を送達するステップであって、該造影剤の該第２の流体量は、該第２の投与量を含む、ステップと
を包含する、流体を送達する方法。
【請求項１５】
前記第１の流体量および前記第２の流体量の各々は、造影剤を含む、請求項１４に記載の方法。
【請求項１６】
前記送達するステップの各々は、パワーインゼクタを用いることを包含する、請求項１４〜１５のうちのいずれか１項に記載の方法。
【請求項１７】
前記送達するステップの各々は、注射器を手動で操作することを包含する、請求項１４〜１５のうちのいずれか１項に記載の方法。
【請求項１８】
前記除去するステップは、前記第１の容器内の前記第１の流体量の残りの少なくとも一部分を回収し、前記流体貯槽の中に戻すことを包含する、請求項１４〜１７のうちのいずれか１項に記載の方法。
【請求項１９】
前記第１の容器は、前記第１の流体目標と流体的に相互に接続可能である出口ポートを備え、前記除去するステップは、該第１の容器の該出口ポートと該第１の流体目標との間の流体接続を切断し、その後、該出口ポートを通して該第１の容器から流体を排出することを包含する、請求項１４〜１７のうちのいずれか１項に記載の方法。
【請求項２０】
前記第１の容器は、出口ポートと、別個の流出（ｂｌｅｅｄ）ポートとを備え、該出口ポートは、前記第１の流体目標と流体的に相互に接続可能であり、前記除去するステップは、該流出（ｂｌｅｅｄ）ポートを通して該第１の容器から流体を排出することを包含する、請求項１４〜１７のうちのいずれか１項に記載の方法。
【請求項２１】
前記除去するステップは、前記流体貯槽以外の供給源から前記第１の容器の中に第２の流体を導入することを包含する、請求項１４〜１７のうちのいずれか１項に記載の方法。
【請求項２２】
前記洗浄するステップは、前記第１の容器が前記流体貯槽および前記第１の流体目標の各々と物理的に相互に接続されている間に、前記フラッシュ媒体のいずれも該流体貯槽へ進ませることなく、さらに該フラッシュ媒体のいずれも該第１の流体目標へ進ませることもなく、該第１の容器に該フラッシュ媒体を通すことを包含する、請求項１４〜２１のうちのいずれか１項に記載の方法。
【請求項２３】
前記洗浄するステップは、
前記第１の容器から前記流体貯槽を流体的に隔離することと、
該第１の容器から前記第１の流体目標を流体的に隔離することと、
該第１の容器の中にフラッシュ媒体を導入することと、
該第１の容器から該フラッシュ媒体を排出することと
を包含し、該フラッシュ媒体を導入するステップおよび該フラッシュ媒体を排出ステップの各々は、該流体貯槽が該第１の容器から流体的に隔離されていて、該第１の流体目標が該第１の容器から流体的に隔離されている間に実行される、請求項１４〜２１のうちのいずれか１項に記載の方法。
【請求項２４】
前記洗浄するステップは、
前記第１の容器の入口ポートから前記流体貯槽を流体的に隔離することと、
前記第１の容器の出口ポートから前記第１の流体目標を流体的に隔離することと、
該流体貯槽が該入口ポートから流体的に隔離されている間に、該入口ポートを通して該第１の容器の中にフラッシュ媒体を導入することと、
該第１の流体目標が該出口ポートから流体的に隔離されている間に、該第１の容器から該出口ポートを通して該フラッシュ媒体を排出することと
を包含する、請求項１４〜２１のうちのいずれか１項に記載の方法。
【請求項２５】
前記流体貯槽は、前記第１の容器の第１の入口ポートに流体的に相互に接続可能であり、前記第１の流体目標は、該第１の容器の出口ポートに流体的に相互に接続可能であり、
前記洗浄するステップは、
該出口ポートから該第１の流体目標を流体的に隔離することと、
該流体貯槽が該第１の入口ポートから流体的に隔離されている間に、該第１の容器の第２の入口ポートの中にフラッシュ媒体を導入することと、
該第１の流体目標が該出口ポートから流体的に隔離されている間に、該第１の容器から該出口ポートを通して該フラッシュ媒体を排出することと
を包含する、請求項１４〜２１のうちのいずれか１項に記載の方法。
【請求項２６】
前記流体貯槽は、前記第１の容器の入口ポートに流体的に相互に接続可能であり、前記第１の流体目標は、該第１の容器の出口ポートに流体的に相互に接続可能であり、
前記洗浄するステップは、
該入口ポートから該流体貯槽を流体的に隔離することと、
該出口ポートから該第１の流体目標を流体的に隔離することと、
該流体貯槽が該入口ポートから流体的に隔離されていて、該第１の流体目標が該出口ポートから流体的に隔離されている間に、該第１の容器の第１のフラッシュポートの中にフラッシュ媒体を導入することと、
該流体貯槽が該入口ポートから流体的に隔離されていて、該第１の流体目標が該出口ポートから流体的に隔離されている間に、該第１の容器から該第１の容器の第２のフラッシュポートを通して該フラッシュ媒体を排出することと
を包含する、請求項１４〜２１のうちのいずれか１項に記載の方法。
【請求項２７】
前記流体貯槽は、前記第１の容器の入口ポートに流体的に相互に接続可能であり、前記第１の流体目標は、該第１の容器の出口ポートに流体的に相互に接続可能であり、
前記洗浄するステップは、該流体貯槽が該入口ポートから流体的に隔離されていて、該第１の流体目標が該出口ポートから流体的に隔離されている間に、該第１の容器の第１のフラッシュポートの中にフラッシュ媒体を導入し、該第１の容器から該第１のフラッシュポートを通して該フラッシュ媒体を排出することを包含する、請求項１４〜２１のうちのいずれか１項に記載の方法。
【請求項２８】
前記第１の容器の少なくとも一部分をエネルギ源出力にさらすステップをさらに包含する、請求項２３〜２７のうちのいずれか１項に記載の方法。
【請求項２９】
前記エネルギ源出力は、γ放射線、紫外光、赤外光、およびこれらの任意の組み合わせから成る群から選択される、請求項２８に記載の方法。
【発明の詳細な説明】
【技術分野】
【０００１】
（関連出願の参照）
本特許出願は、３５  Ｕ．Ｓ．Ｃ．§１１９（ｅ）のもとで、名称が「ＦＬＵＩＤ  ＤＥＬＩＶＥＲＹ  ＳＹＳＴＥＭ  ＷＩＴＨ  ＭＵＬＴＩ−ＤＯＳＥ  ＦＬＵＩＤ  ＳＯＵＲＣＥ」であり、２００７年１１月１９日に出願された、係属中の米国仮特許出願第６０／９８８，８５８号に対する優先権を主張する。
【０００２】
（発明の分野）
本発明は、概して流体送達システムに関し、より詳細には、複数投与の流体源を用いることに適応した流体送達システムに１つもしくはそれ以上の滅菌帯を組み込むことに関する。
【背景技術】
【０００３】
（背景）
医療造影剤は比較的高価な製品である。工場充填済の注射器またはバイアルは、個々の造影剤投与量を使用する場所まで移動させるために用いられ得る。この場合、注入処置後に（例えば、患者間の相違、撮像条件間の相違、またはその両方に基づき）一定量の造影剤が残ることが普通である。残りの造影剤はすべて、典型的には廃棄物として処分される。少なくとも、複数の注入処置用に造影剤を供給するために用いられ得る造影剤の大量保管容器を利用することが提案されてきた。造影剤は非経口薬でありがちであり、そして患者に流体接続されたとき汚染が流体送達システム内に伝えられ得るので、複数の患者のための複数投与の造影剤供給源を用いるときに滅菌が関心事となり得る。
【発明の概要】
【課題を解決するための手段】
【０００４】
（概要）
本発明は、概して流体の送達に関係する滅菌機能を提供することに関する。本発明の第１および第２の局面は、概してエネルギ源出力を利用する滅菌機能を提供することに関する。本発明の第３および第４の局面は、概して、流体源と流体目標との間のどこかにおいて中間チャンバまたは中間容器を利用する滅菌機能を提供することに関する。本発明の第５および第６の局面は、流体に露出される表面を「ぬぐう動作（ｗｉｐｉｎｇ  ａｃｔｉｏｎ）」または類似のことを利用する滅菌機能に関し、表面は患者に送達され得る流体に露出され、ぬぐう動作は滅菌要素または滅菌媒体によって提供される。これらの様々な局面の各々はここで、より詳細に検討される。
【０００５】
本発明の第１の局面は、流体貯槽と、インゼクタと、エネルギ源とを有する流体送達システムによって実施される。第１の流れ経路は、流体源から流体目標に延びる。インゼクタは、第１の流れ経路と少なくとも流体的に相互に接続可能である。第１の流れ経路の少なくとも一部は、エネルギ源からの出力に露出される。この露出は、第１の流れ経路を通過する流体の汚染レベルを少なくとも低減するために利用され得る（例えば、汚染物が流体目標から流体貯槽および／またはインゼクタに戻るように移動する可能性を減少させるために）。
【０００６】
本発明の第１の局面に関係して示される特徴の様々な改良が存在する。さらなる特徴もまた同様に、本発明の第１の局面に組み込まれ得る。これらの改良および追加の特徴は、個々にまたは任意の組み合わせで存在し得る。以下の論議そして本発明の第２の局面の導入まではこの第１の局面に関する。
【０００７】
第１の流れ経路は、例えば少なくとも１つの導管の形態かまたはそうでなければ少なくとも１つの導管によって画定される形態などの任意の適切な方法で画定され得る。各導管は、任意の適切なサイズ、形状、構成、および／またはタイプ（例えば、医療チューブ）であり得る。一実施形態において、第１の流れ経路は、任意の適切な方法で取り外し可能に相互に接続される第１の導管部と第２の導管部とを含み、第１の導管部は第２の導管部から流体目標に延び、第１の導管部は使い捨て用品の形態であり、第２の導管部は複数の流体送達処置のために再使用可能である（例えば、多数の流体目標を有する使用のために）。第１の導管部の少なくとも一部は、エネルギ源の出力に露出され得る。
【０００８】
エネルギ源は、任意の適切なサイズ、形状、構成、および／またはタイプであり得る。一実施形態は、ヒータの形態であるエネルギ源を有する。別の実施形態は、１つもしくはそれ以上の波長で放射線を放出する放射源の形態であるエネルギ源を有する。第１の導管部の少なくとも約５インチまたは１３センチメートルをエネルギ源からの出力に露出させることは、流体送達システムを通って流体貯槽および／またはインゼクタに戻るように移動することが可能な、流体目標からの汚染物の可能性をさらに減少させ得る。
【０００９】
本発明の第２の局面は、流体を送達する方法によって実施される。流体経路は、流体貯槽から第１の流体目標に延びる。流体は流体貯槽に貯蔵され、この流体の少なくとも一部は、流体貯槽から排出（ｄｉｓｃｈａｒｇｅ）されるかまたは放出（ｒｅｌｅａｓｅ）される。流体貯槽から排出された流体の第１の投与量は、上記の流れ経路を介して第１の流体目標に送達される。流れ経路の少なくとも一部は、エネルギ源出力に露出される（例えば、第１の流体目標から流体貯槽に戻るように移動する汚染物の可能性を減少させ得る）。
【００１０】
本発明の第２の局面に関係して示される特徴の様々な改良が存在する。さらなる特徴もまた同様に、本発明の第２の局面に組み込まれ得る。これらの改良および追加の特徴は、個々にまたは任意の組み合わせで存在し得る。以下の論議そして本発明の第３の局面の導入まではこの第２の局面に関する。エネルギ源からの出力は、任意の適切なタイプまたは複数のタイプの組み合わせであり得る。エネルギ源出力であって、その出力に対して流れ経路の少なくとも一部が露出される、エネルギ源出力は、放射線（例えば、ガンマ放射線）の形態であり得る。任意の適切な波長または複数の波長の組み合わせの放射線が、利用され得る（例えば、紫外線、赤外線）。エネルギ源出力として熱もまた利用され得、この熱は任意の適切な方法で生成され得る。一実施形態は、流れ経路の露出された部分内において少なくとも約１０４°Ｆまたは４０℃まで流体を加熱することを伴う。
【００１１】
エネルギ源出力に露出される流れ経路の長さは、露出帯を通って進み流体貯槽に到達することが可能な汚染物の可能性をさらに減少させるように選択され得る。一実施形態において、エネルギ源出力に露出されるべき流れ経路の長さと共に、エネルギ源出力（例えば、投与量または投与速度）の１つもしくはそれ以上の局面は、流れ経路のこの露出された部分を全部通って進むことが可能な汚染物の可能性を実質的に減少させるように選択され得る。一実施形態において、エネルギ源出力に露出される流れ経路の長さは、少なくとも約５インチまたは１３センチメートルである。
【００１２】
エネルギ源出力に流れ経路の少なくとも一部を露出することに関連する利益のうちの１つは、流体貯槽が複数の流体目標および／または複数の流体送達処置のために使用可能であるように十分な量の流体を含み得ることである。一実施形態において、第１の流体目標は、流体貯槽から切断される（例えば、物理的かつ／または流体的に）。流体貯槽内の流体の少なくとも一部は、流体貯槽から排出されるかまたは放出される。第２の流体目標は、流体貯槽に接続される。流体貯槽から排出された流体の第２の投与量は、第２の流体目標に送達される。第２の流体目標への流体の第２の投与量のこの送達に関係して、任意の適切なシーケンスが利用され得る。例えば、第２の投与のための流体は、第１の流体目標が流体貯槽から切断された（例えば、物理的かつ／または流体的に）後に、流体貯槽から排出または放出され得る。第２の流体目標は、第１の流体目標が流体貯槽から切断された後に、流体貯槽に接続され得る。
【００１３】
本発明の第３の局面は、流体貯槽と、第１の容器と、インゼクタと、フラッシュシステムとを有する流体送達システムによって実施され、ここでインゼクタはフラッシュシステムの一部ではない。第１の容器は流体容器と流体的に相互に接続され得、インゼクタは流体貯槽および第１の容器のうちの少なくとも１つに流体的に相互に接続され得、フラッシュシステムは第１の容器に流体的に相互に接続され得る。インゼクタは導管を通る流体目標への流れを向けるように動作され得る。
【００１４】
本発明の第３の局面に関係して示される特徴の様々な改良が存在する。さらなる特徴もまた同様に、本発明の第３の局面に組み込まれ得る。これらの改良および追加の特徴は、個々にまたは任意の組み合わせで存在し得る。以下の論議そして本発明の第４の局面の導入まではこの第３の局面に関する。フラッシュシステムは、フラッシュ源およびフラッシュレセプタクルの形態であり得、その各々は、任意の適切なサイズ、形状、構成、および／またはタイプであり得る。例えば、フラッシュレセプタクルは、任意の適切な形態の単一のフラッシュ媒体または２つもしくはそれ以上のフラッシュ媒体の組み合わせを利用し得、ここで各フラッシュ媒体は、任意の適切な機能または複数の機能（例えば、滅菌）の組み合わせを提供し得る。代表的なフラッシュ媒体は、アルコールと、蒸気と、ＥＴＯ（エチレンオキシド）と、滅菌流体と、水と、空気と、不活性ガスまたは複数の不活性ガスの組み合わせと、漂白剤と、過酸化水素水と、酸素と、これらの任意の組み合わせとを含むが、これらに限定されない。フラッシュレセプタクルは、任意の適切な容器（ｃｏｎｔａｉｎｅｒ）、貯蔵容器（ｓｔｏｒａｇｅ  ｖｅｓｓｅｌ）もしくは類似のもの、または単に配水管もしくは類似のものの形態であり得る。
【００１５】
流体貯槽は、任意の適切な方法で選択可能に、第１の容器に流体的に相互に接続されそして第１の容器から流体的に隔離され得る。第１の容器は、任意の適切な方法で選択可能に、第１のフラッシュ源に流体的に相互に接続されそして第１のフラッシュ源から流体的に隔離され得る。流体目標は、任意の適切な方法で選択可能に、第１の容器に流体的に相互に接続されそして第１の容器から流体的に隔離され得る。フラッシュレセプタクルは、任意の適切な方法で選択可能に、第１の容器に流体的に相互に接続されそして第１の容器から流体的に隔離され得る。例えば、１つもしくはそれ以上の弁（例えば、逆止め弁、絞り弁、ゲート弁、電磁弁）、流れ制御デバイス、または類似のものが、上記対の構造間の流体連絡の所望の「状態」に関係して利用され得る。
【００１６】
第１の容器の中にかつ第１の容器からフラッシュ媒体を向けるために（例えば、滅菌機能を提供するために）、多数の構成が存在する。別の言い方をすると、フラッシュシステムは、様々な方法で流体送達システムに一体化され得る。フラッシュシステムの代表的な一体化がここで検討される。
【００１７】
第１の実施形態において、第１の容器は、第１の入口ポートと第１の出口ポートとを含み、流体貯槽およびフラッシュ源の各々は、第１の入口ポートに流体的に相互に接続され得、流体目標およびフラッシュレセプタクルの各々は、第１の出口ポートに流体的に相互に接続され得る。流体貯槽およびフラッシュ源の両方とも、第１の入口ポートを介して第１の容器と物理的に相互に接続されたままであり得、それでもなお第１の容器から流体的に隔離されるかまたは第１の容器に流体的に接続され得る（例えば、１つもしくはそれ以上の弁、流れ制御デバイス、または類似のものによって）。第１の入口ポートはまた、流体貯槽から物理的に切断され、フラッシュ源に物理的に接続され得、これらの構造をそれぞれ流体的に隔離し、流体的に相互に接続し得、逆もまた同様である。同様に、流体目標およびフラッシュレセプタクルの両方とも、第１の出口ポートを通って第１の容器と物理的に相互に接続されたままであり得、それでもなお第１の容器から流体的に隔離されるかまたは第１の容器に流体的に接続され得る（例えば、１つもしくはそれ以上の弁、流れ制御デバイス、または類似のものによって）。第１の出口ポートはまた、流体貯槽から物理的に切断され、フラッシュレセプタクルに物理的に接続され得、これらの構造をそれぞれ流体的に隔離し、流体的に相互に接続し得、逆もまた同様である。流体貯槽、流体目標、フラッシュ源、およびフラッシュレセプタクルの各々は、任意の適切な方法で第１の容器と流体的に相互に接続され、第１の容器から流体的に隔離され得る。いずれの場合においても、少なくとも１つのフラッシュ媒体は、フラッシュ源から第１の入口ポートを通って第１の容器の中に向けられ得、一方、流体貯槽および流体目標は各々、第１の容器から流体的に隔離される。フラッシュ媒体は、第１の出口ポートを通って第１の容器から出て、フラッシュレセプタクルの中に向けられ得、一方、流体貯槽および流体目標は各々、第１の容器から流体的に隔離される。
【００１８】
第２の実施形態において、第１の容器は、第１の出口ポートと共に、第１の入口ポートと第２の入口ポートとを含む。第１の入口ポートは流体貯槽に流体的に相互に接続可能であり、一方、第２の入口ポートはフラッシュ源に流体的に相互に接続可能である。流体目標およびフラッシュレセプタクルの両方は、第１の出口ポートと流体的に相互に接続され得る。流体目標およびフラッシュレセプタクルは、第１の出口ポートを通って第１の容器と物理的に相互に接続されたままであり得、それでもなお第１の容器から流体的に隔離されるかまたは第１の容器に流体的に接続され得る（例えば、１つもしくはそれ以上の弁、流れ制御デバイス、または類似のものによって）。第１の出口ポートはまた、流体貯槽から物理的に切断され、フラッシュレセプタクルに物理的に接続され得、これらの構造をそれぞれ流体的に隔離し、流体的に相互に接続し得、逆もまた同様である。流体貯槽、流体目標、フラッシュ源、およびフラッシュレセプタクルの各々は、任意の適切な方法で第１の容器と流体的に相互に接続され、第１の容器から流体的に隔離され得る。いずれの場合においても、少なくとも１つのフラッシュ媒体は、フラッシュ源から第１の入口ポートを通って第１の容器の中に向けられ得、一方、流体貯槽および流体目標は各々、第１の容器から流体的に隔離される。フラッシュ媒体は、第１の出口ポートを通って第１の容器から出て、フラッシュレセプタクルの中に向けられ得、一方、流体貯槽および流体目標は各々、第１の容器から流体的に隔離される。
【００１９】
第３の実施形態において、第１の容器は、第１の出口ポートおよび第２の出口ポートの外に、第１の入口ポートと第２の入口ポートとを含む。第１の入口ポートは流体貯槽に流体的に相互に接続され得、一方、第２の入口ポートはフラッシュ源に流体的に相互に接続され得る。第１の出口ポートは流体目標に流体的に相互に接続され得、一方、第２の出口ポートはフラッシュ源に流体的に相互に接続され得る。第２の入口ポートおよび第２の出口ポートは、フラッシュポートとして特徴づけられ得る。流体貯槽、流体目標、フラッシュ源、およびフラッシュレセプタクルの各々は、任意の適切な方法で第１の容器と流体的に相互に接続され、第１の容器から流体的に隔離され得る。いずれの場合においても、少なくとも１つのフラッシュ媒体は、フラッシュ源から第２の入口ポートを通って第１の容器の中に向けられ得、一方、流体貯槽および流体目標は各々、第１の容器から流体的に隔離される。フラッシュ媒体は、第２の出口ポートを通って第１の容器から出て、フラッシュレセプタクルの中に向けられ得、一方、流体貯槽および流体目標は各々、第１の容器から流体的に隔離される。
【００２０】
第４の実施形態において、第１の容器は、第１の入口ポートと、第１の出口ポートと、フラッシュポートとを含み、流体貯槽は第１の入口ポートに流体的に相互に接続され得、流体目標は第１の出口ポートと流体的に相互にされ得、フラッシュ源およびフラッシュレセプタクルの各々は、フラッシュポートと流体的に相互に接続され得る。流体貯槽、流体目標、フラッシュ源、およびフラッシュレセプタクルの各々は、任意の適切な方法で第１の容器と流体的に相互に接続され、第１の容器から流体的に隔離され得る。いずれの場合においても、少なくとも１つのフラッシュ媒体は、フラッシュ源からフラッシュポートを通って第１の容器の中に向けられ得、一方、流体貯槽および流体目標は各々、第１の容器から流体的に隔離される。フラッシュ媒体は、第１のフラッシュポートを通って第１の容器から出て、フラッシュレセプタクルの中に向けられ得、一方、流体貯槽および流体目標は各々、第１の容器から流体的に隔離される。
【００２１】
任意の適切な機能および複数の機能の組み合わせは、第１の容器の洗い流しによって提供され得る。第１の容器の任意の適切な数の洗い流しが行われ得る。一実施形態において、第１の容器が滅菌された後に、清浄な水および／または空気／不活性ガスは、第１の容器を洗い流すために用いられ得る。第１の容器は、適切な滅菌媒体を用いて第１の容器を洗い流すこと、エネルギ源（例えば、熱、γ放射線、紫外光、赤外光、およびこれらの任意の組み合わせ）の出力に第１の容器を露出すること、またはこの両方によるなどの任意の適切な方法で滅菌され得る。第２の例において、第１の容器は、その内部表面が物理的に接触されることなく滅菌され得る。
【００２２】
本発明の第４の局面は、流体を送達する方法によって実施される。第１の流体量は、流体貯槽から第１の容器に向けられる。第１の投与量は第１の流体目標に送達され、該第１の投与量は該第１の流体量の少なくとも一部である。第１の投与量が回収されるかまたは第１の容器から排出された後に、第１の容器に残る任意の最初の第１の流体量の少なくとも一部は、第１の容器から除去され得る（例えば、第１の容器を「排出させる（ｄｒａｉｎ）」試みがなされ得る）。第２の流体量は、流体貯槽から第１の容器の中に向けられる。第２の投与量は第２の流体目標に送達され、ここで第２の投与量は第２の流体量の少なくとも一部である。従って、第４の局面は、複数の流体目標への流体の連続的送達を包含する。
【００２３】
本発明の第４の局面に関係して示される特徴の様々な改良が存在する。さらなる特徴もまた同様に、本発明の第４の局面に組み込まれ得る。これらの改良および追加の特徴は、個々にまたは任意の組み合わせで存在し得る。以下の論議そして本発明の第５の局面の導入まではこの第４の局面に関する。第２の流体量における第１の流体量は、同じ量かまたは異なる量であり得る。第１の投与量および第２の投与量は、同じ量かまたは異なる量であり得る。第１の投与量は、第１の流体量の全部であることを含む第１の流体量の任意の部分であり得る。第２の投与量は、第２の流体量の全部であることを含む第２の流体量の任意の部分であり得る。
【００２４】
第１の容器内の第１の流体量の任意の残りは、第１の投与量が第１の容器から除去された後に第１の容器内にあり得る残りであるが、任意の適切な方法で第１の容器から除去され得る。この残りの少なくとも一部は、第１の容器から回収され流体貯槽の中に戻るように向けられ得る。第１の容器は、第１の流体目標と流体的に相互に接続可能である出口ポートを含み得、第１の流体目標は、残りの少なくとも一部が、第１の流体目標に進むことなくこの出口ポートを通って第１の容器から排出され得るように、この出口ポートから切断されるかまたは少なくとも流体的に隔離され得る。第１の容器は、第１の容器を少なくとも部分的に排出させるために利用され得る別個のブリード（ｂｌｅｅｄ）ポート（例えば、第２の出口ポート）と共に、第１の流体目標と流体的に相互に接続可能である出口ポートを含み得る。第１の流体量の任意の残りを除去するために、適切な流体が第１の容器を通って向けられ得る。第１の容器を「排出させる」ことを試みるために、前述のことの任意の適切な組み合わせが利用され得る。
【００２５】
第１の流体量の任意のどの残りの少なくとも一部が除去されるかまたは第１の容器から排出された後に（例えば、第３の局面に従って）、第１の容器は任意の適切な方法で洗い流され得る。第１の容器のどの洗い流しも、第３の局面に関係して上記に論議された方法で任意の適切な機能または複数の機能の組み合わせを提供し得る。第１の容器のどの洗い流しも、第３の局面に関係して上記に論議された方法で任意の適切な機能または複数の機能の組み合わせを提供し得る（例えば、第１の容器の洗い流しおよび／または第１の容器のエネルギ源出力への露出）。
【００２６】
フラッシュ媒体は、第１の容器を介して向けられ得、この場合、第１の容器は、このフラッシュ媒体のいずれをも流体貯槽または第１の流体目標のどれにも前進させることなく、第１の流体目標において流体貯槽の各々に物理的に相互に接続されたままである。流体貯槽および第１の流体目標の各々は、第１の容器から流体的に隔離され得、その後、フラッシュ媒体は、第１の容器の中に導入されるか、または第１の容器から排出され得る。第１の実施形態において、流体貯槽は第１の容器の入口ポートから流体的に隔離され、第１の流体目標は第１の容器の出口ポートから流体的に隔離され、その後フラッシュ媒体は、入口ポートを通って第１の容器の中に導入され、出口ポートを通って第１の容器から排出される。第２の実施形態において、流体貯槽は第１の容器の第１の入口ポートから流体的に隔離され、第１の流体目標は第１の容器の出口ポートから流体的に隔離され、その後フラッシュ媒体は、第２の入口ポートを通って第１の容器の中に導入され、出口ポートを通って第１の容器から排出される。第３の実施形態において、流体貯槽は第１の容器の入口ポートから流体的に隔離され、第１の流体目標は第１の容器の出口ポートから流体的に隔離され、その後フラッシュ媒体は、第１のフラッシュポートを通って第１の容器の中に導入され、第２のフラッシュポートを通って第１の容器から排出される。第４の実施形態において、流体貯槽は第１の容器の入口ポートから流体的に隔離され、第１の流体目標は第１の容器の出口ポートから流体的に隔離され、その後フラッシュ媒体は、共通のフラッシュポートを通って、第１の容器の中に導入され、第１の容器から排出される。
【００２７】
本発明の第５の局面は、流れ制御デバイスとして特徴づけられ得るものによって実施される。この流れ制御デバイスは、ハウジングとプランジャとを含む。プランジャの少なくとも一部は、ハウジング内に可動に配置される。第１および第２のシールは、プランジャに取り付けられかつプランジャに沿って間隔を空けて置かれ、さらにハウジングの内部表面と係合する。第１の滅菌物質は、第１のシールと第２のシールとの間に含まれる。
【００２８】
本発明の第５の局面に関係して示される特徴の様々な改良が存在する。さらなる特徴もまた同様に、本発明の第５の局面に組み込まれ得る。これらの改良および追加の特徴は、個々にまたは任意の組み合わせで存在し得る。以下の論議そして本発明の第６の局面の導入まではこの第５の局面に関する。流れ制御デバイスは、流体貯槽を含む流体送達システムによって組み込まれ得る。この流体貯槽からの流体は、流れ制御デバイスに向けられ得る。流れ制御デバイスからの排出または出力は、流体目標に向けられ得る。一実施形態において流れ制御デバイスは、流体貯槽からの流体の流れに関して「通過」タイプである。
【００２９】
第１および第２のシールは、多くの適切なサイズ、形状、構成、および／またはタイプであり得る。一実施形態において、第１のシールおよび第２のシールは、Ｏリングの形態である。第１のシールと第２のシールとの間の適切なスペーシングが利用され得る。第１のシールおよび第２のシールは、ハウジングに対してプランジャと共に動き得る。そのようなものとして、第１のシールと第２のシールとの間に保持される第１の滅菌物質は、同様にハウジングに対してプランジャと共に動き得る。ハウジングの内部表面に沿って第１の滅菌物質を動かすことは、内部表面の係合された部分を「ぬぐい」、汚染に対処し得る。
【００３０】
第１の滅菌物質は、ハウジングの内部表面と係合し得る。フレーズ「ハウジングの内部表面と係合すること」または類似のフレーズは、内部表面の任意の部分と係合することを包含し、内部表面の全体と係合することを含む。第１の滅菌物質は、内部表面の任意の部分と係合することを包含し、内部表面の全体と係合することを含む。第１の滅菌物質は、任意の適切なタイプおよび／または形態であり得る。第１の滅菌物質は、滅菌液、固体、または滅菌液がしみ込まされるかまたは滅菌液を含む他の担体の形態であり得る。滅菌液は、スポンジ、布、多孔性材料、親水性材料、およびこれらの任意の組み合わせによって組み込まれるかまたはこれらのものと一体化され得る。
【００３１】
流れ制御デバイスは、注射器の形態であり得る。この場合、ハウジングは注射器バレルの形態であり得、プランジャの少なくとも一部は注射器バレル内に配置され得る。プランジャは、注射器バレルの端部を越えて延び得、手動であり得る。別のオプションは、注射器がパワーインゼクタと共に使用するように適合され、パワーインゼクタの駆動装置は、任意の適切な方法でプランジャに相互に接続され、注射器バレルに対してプランジャを動かし得る（例えば、注射器バレルから流体排出を提供する）。
【００３２】
流れ制御デバイスは、プランジャと係合する少なくとも１つの付勢部材を含み得る。任意のそのような付勢部材は、任意の適切なサイズ、形状、構成、および／またはタイプであり得る。任意の適切な数の付勢部材が利用され得る。一実施形態において、プランジャは、流れ制御デバイスの開放位置（例えば、「開放」位置は、流れ制御デバイスを介して流れることを可能にする位置）から離れ、そして流れ制御デバイスの閉鎖位置（例えば、「閉鎖」位置は、流れ制御デバイスを介して流れることを可能にしない位置）の方に付勢される。例えば、プランジャは、流れ制御デバイスから出る流れに適応しない位置に付勢され得る。
【００３３】
第３のシールおよび第４のシールは、プランジャに、かつプランジャに沿って間隔を空けて取り付けられ得る。第３のシールおよび第４のシールはハウジングの内部表面と係合し得、第２の滅菌物質は第３のシールと第４のシールとの間に含まれ得る。第１の滅菌物質に関係して上記に論議された特徴は、第２の滅菌物質に同様に適用可能である。第１の滅菌物質および第２の滅菌物質は同じであり得るが、必ずしもその必要はない。第３のシールおよび第４のシールは、ハウジングに対してプランジャと共に動き得る。そのようなものとして、第３のシールと第４のシールとの間に保持される第２の滅菌物質は、同様にハウジングに対してプランジャと共に動き得る。ハウジングの内部表面に沿って第２の滅菌物質を動かすことは、内部表面の係合された部分を「ぬぐい」、汚染に対処し得る。
【００３４】
第１のシールおよび第２のシールは第１のシールペアを画定し得、一方、上記の第３のシールおよび第４のシールは第２のシールペアを画定し得る。第１のシールペアおよび第２のシールペアは、プランジャに沿って任意の適切な距離の間隔を空けて置かれ得る。一実施形態において、流れ制御デバイスから出る流れのない位置にプランジャがある場合、第１のシールペアは、少なくとも概して、流れ制御デバイスの方かまたは流れ制御デバイスへの入口に配置され得、第２のシールペアは、少なくとも概して、流れ制御デバイスの方かまたは流れ制御デバイスの出口に配置され得る。
【００３５】
ハウジングは、選択的に流体連絡し得る、第１の流れ通路および第２の流れ通路を含み得る。一実施形態において、第１の流れ通路および第２の流れ通路は、プランジャが第１の位置（例えば、流れ制御デバイスから出る流れのない、流れ制御デバイスの閉鎖位置）にあるとき、流体的に互いに隔離され得る。一実施形態において、第１の通路および第２の通路は、プランジャが第２の位置（例えば、流れ制御デバイスから出る流れがある、流れ制御デバイスの開放位置）にあるとき、流体的に連絡し得る。
【００３６】
第５のシールは上記の第１のシールペアと第２のシールペアとの間にある位置においてプランジャに取り付けられ得、この第５のシールはハウジングの内部表面と係合可能である。第５のシールと第１のシールペアおよび第２のシールペアとの間の任意の適切なスペーシングは利用され得る。この第５のシールは、プランジャが第１の位置（例えば、流れ制御デバイスから出る流れのない、流れ制御デバイスの閉鎖位置）にあるとき、上記の第１の流れ通路と第２の流れ通路との間の流体連絡をふさぎ得る。プランジャを第２の位置に動かすことは、第１の流れ通路と第２の流れ通路との間の流体連絡を確立し得る（例えば、流れ制御デバイスから出る流れがある、流れ制御デバイスの開放位置）。すなわち、プランジャを第２の位置に動かすことは、第５のシールが第１の流れ通路と第２の流れ通路との間にもはや配置されていなく第１の流れ通路と第２の流れ通路と間の流体連絡を確立するように、第５のシールを動かし得る。
【００３７】
流れ制御デバイスは、分離可能かまたは取り外し可能にハウジングと係合されるキャップを含み得る。このキャップは、取り外され得、流れ制御デバイスが流体目標と流体的に相互に接続可能であるコネクタなどの別の構造に流体的に相互に接続されることを可能にし得る。このコネクタは、チューブセットまたは流れ制御デバイスから流体目標（例えば、患者）に延びる類似のものの一部であり得る。
【００３８】
上記のコネクタは、ねじ切りの係合によるなど任意の適切な方法で分離可能かまたは取り外し可能にハウジングに相互に接続され得る。コネクタは、第３の流れ通路を含み得る。流れ制御デバイスとコネクタを相互に接続することは、コネクタの第３の流れ通路と流れ制御デバイスの上記の第１の流れ通路および第２の流れ通路を流体的に相互に接続し得る。一実施形態において、コネクタは、任意の適切な構成の第１の部材（例えば、この種の第２の固定されたプランジャ）を含む。第３の流れ通路は、側壁から第１の部材の内部部分に延び得る。第６のシールおよび第７のシールは、第３の流れ通路がこれらの第６のシールと第７のシールとの間の位置において第１の部材の側壁と交差するような位置において、第１の部材に、かつ第１の部材に沿って間隔を空けて取り付けられ得る。
【００３９】
上記コネクタは、任意の適切なカバーまたはキャップ（ピールオフストリップ（ｐｅｅｌ−ｏｆｆ  ｓｔｒｉｐ）または類似のもの）を利用し得る。このカバーまたはキャップは、コネクタが流れ制御デバイスと相互に接続されているとき取り外され得る。コネクタの第１の部材は流れ制御デバイスの内部の中に向けられ得、その結果、上記の第６のシールおよび第７のシールはハウジングの内部表面と係合する。ハウジングに対してコネクタを前進させることは、コネクタの第１の部材をプランジャと係合させ得、その結果、プランジャは、「閉鎖位置」から「開放位置」に動かされ、該「開放位置」において、流れは、流れ制御デバイスを通ってコネクタの中に、次いで流体目標に進む（例えば、コネクタが取り付けられているチューブを経由して）。例えば、流れ制御デバイスにコネクタを取り付けることは、流れ制御デバイスの上記の第１の流れ通路と第２の流れ通路との間の流体の連絡を確立し得、また、コネクタの第３の流れ通路と流れ制御デバイスの第１の流れ通路および第２の流れ通路との間の流体の連絡を確立し得る。
【００４０】
本発明の第６の局面は、流体を送達する方法によって実施される。流体は流れ制御デバイスに提供され得、この流れ制御デバイスは、導管の少なくとも一部を画定する内部表面を有するハウジングを含む。滅菌要素は、内部表面の少なくとも一部に沿って動かされ得る。流体は、流れ制御デバイスから排出され得る。流れ制御デバイスから排出される少なくとも一部の流体は、滅菌要素によって接触された導管の一部分を通って流れる。
【００４１】
本発明の第６の局面に関係して示される特徴の様々な改良が存在する。さらなる特徴もまた同様に、本発明の第６の局面に組み込まれ得る。これらの改良および追加の特徴は、個々にまたは任意の組み合わせで存在し得る。以下の論議は、別に示されない限り、第６の局面に関する。流体は、任意の適切な方法で流れ制御デバイスに提供され得る。一実施形態において、流れ制御デバイスは注射器の形態であり、流体は、任意の適切な方法でこの注射に充填され得る。一実施形態において、流体は、流れ制御デバイスと流体貯槽を流体的に相互に接続することによって、流れ制御デバイスに提供される。この流体貯槽は、例えば複数の流体目標のために複数の流体投与量を含み得る。第１の流体投与量は、流体貯槽から回収され、流れ制御デバイスの中に充填され、かつ／または流れ制御デバイスを通過させられ得、流れ制御デバイスから（例えば、第１の流体目標に）排出させられ得る。第２の流体投与量は、第１の流体投与量が流れ制御デバイスから排出された後に、流体貯槽から回収され、流れ制御デバイスの中に充填され、かつ／または流れ制御デバイスを通過させられ得、流れ制御デバイスから（例えば、第２の流体目標に）排出させられ得る。第１および第２の投与量の必ずしも全部がどの一時においても流れ制御デバイス内に含まれる必要がないことは理解されるべきである。
【００４２】
滅菌要素は、導管内に配置されるプランジャに取り付けられ得る。プランジャは、任意の適切な方法で導管内に動かされ得、該導管は同様に、導管の内部表面に沿って滅菌要素を動かし得る。滅菌要素は、少なくとも概して、第１の位置と第２の位置との間で可動であることとして特徴づけられ得、流れ制御デバイスは、流れ制御デバイスを通って延び、少なくとも上記の導管を含む流れ経路を有することとして特徴づけられ得る。流れ制御デバイスを通る流れ経路の少なくとも一部は、第１の位置にある滅菌要素によってふさがれ得、流れ制御デバイスを通る流れ経路は、滅菌要素が第２の位置にある場合、開放であり得る。一実施形態において、流れ制御デバイスの少なくとも一部は、流れ経路の少なくとも一部がふさがれる位置に付勢される。
【００４３】
第１の流体目標は、流れ制御デバイスに流体的に相互に接続され得る。第１の滅菌要素の動きは、第１の流体目標と流れ制御デバイスとの間の流体の相互接続の確立に応答するかまたは該相互接続の確立によって引き起こされ得る。流体が流れ制御デバイスを通って第１の流体目標に提供された後に、第１の流体目標は流れ制御デバイスから切断され得る。この切断は、滅菌要素が導管に対して動くようにさせる。滅菌要素は、流れ制御デバイスからの流体出力を終結させることに関連する位置に動き得る。いずれの場合においても、そして流れ制御デバイスからの第１の流体目標の切断に続いて、第２の流体目標は、流れ制御デバイスに流体的に相互に接続され得る。流れ制御デバイスと第２の流体目標を流体的に相互に接続することは、導管に対して滅菌要素を再び動かし得る。一旦、第２の流体目標と流れ制御デバイスとの間に十分な相互接続が存在すると、流体は、流れ制御デバイスから出て、第２の流体目標の方に向けられ得る。一実施形態において、流れ制御デバイスから第１の流体目標および第２の流体目標の各々に提供される流体は、共通の流体貯槽から受容される。
【００４４】
目標側部コネクタは、流れ制御デバイスと連結され得、目標側部コネクタは、流体目標と流体的に相互に接続可能であり得る。目標側部コネクタの開放端部は、流れ制御デバイスと係合される前に密閉され（ｓｅａｌｅｄ）得る。流れ制御デバイスの開放端部は、目標側部コネクタと係合される前に密閉され得る。これらのシールの各々は、目標側部コネクタと流れ制御デバイスとが連結されるように除去され得る。目標側部コネクタと流れ制御デバイスとを連結することは、流れ制御デバイスに関連する導管に対して滅菌要素を動かし得る。
【００４５】
本発明の上記の第１〜第６の局面の各々に関係して示される特徴の様々な改良が存在する。さらなる特徴もまた同様に、本発明の上記の第１〜第６の局面の各々に組み込まれ得る。これらの改良および追加の特徴は、第１〜第６の局面の各々に関係して個々にまたは任意の所望の組み合わせで存在し得る。すなわち、論議される以下の特長の各々は、別に指定されない限り、任意の他の特徴または複数の特徴の組み合わせと共に用いられることを必要としない。
【００４６】
利用される任意の流体貯槽は、任意のサイズ、形状、構成、および／またはタイプであり得る。複数の流体貯槽も同様に利用され得る。造影剤、放射性医薬品、食塩水、およびこれらの任意の組み合わせを含むが、これらに限定されない任意の適切な流体は、利用される任意の流体貯槽内に貯蔵され得る。一実施形態において、複数の流体投与量は、流体貯槽に貯蔵される。「投与量（ｄｏｓｅ）」は、複数の流体目標の各々に送達されるように意図される所定の流体量の形態であり得る。各投与量は、同じ流体量であり得るか、または同じ流体量ではない場合がある。
【００４７】
任意の流体目標は、任意の適切なサイズ、形状、構成、および／またはタイプであり得る。一実施形態は、患者の形態である流体目標を有する。別の実施形態は、動物の形態である流体目標を有する。いずれの場合においても、流体は、任意の適切な方法で流体目標に送達され得る。例えば、流体は、特定の流体目標の中に注入され得る。流体はまた、特定の流体目標に局部的に送達され得る。
【００４８】
インゼクタは、流体目標への流体の流れを作るために用いられ得、このインゼクタは、任意の適切なサイズ、形状、構成、および／またはタイプであり得る。一実施形態は、手動ユニットの形態であるインゼクタを有する（例えば、手動操作可能な注射器）。別の実施形態は、パワーインゼクタの形態であるインゼクタ（例えば、パワーヘッドに相互に接続可能であり、パワーヘッドの動作によって駆動される注射器）を有する。複数のインゼクタもまた、利用され得、任意の適切な配置に置かれ得る。
【００４９】
任意のパワーインゼクタは、任意の適切なサイズ、形状、構成、および／またはタイプであり得る。任意のそのようなパワーインゼクタは、任意の適切なサイズ、形状、構成、および／またはタイプの１つもしくはそれ以上の注射器プランジャドライバを利用し得、そのような注射器プランジャドライバの各々は、少なくとも二方向の動きが可能である（例えば、流体を排出するための第１の方向の動き、後の流体排出動作のために流体の充填を行うかまたは後の流体排出動作のための位置に戻るための第２の方向の動き）。パワーインゼクタは任意の適切な用途に用いられ得、該任意の適切な用途において、任意の適切な医療用途（例えば、コンピュータ断層撮影法またはＣＴ撮影法、磁気共鳴映像またはＭＲＩ、ＳＰＥＣＴ撮影法、ＰＥＴ撮影法、Ｘ線撮影法、血管撮影法、光学撮影法、超音波撮影法）を含むがこれらに限定されない任意の適切な方法で（例えば、患者などの流体目標の中への注入による）、１つもしくはそれ以上の流体の送達が望まれる。パワーインゼクタは、適切な撮影システム（例えば、ＣＴスキャナ）などの任意の構成要素または複数の構成要素の組み合わせと結合して用いられ得る。例えば、情報（例えば、スキャン遅延情報、注入開始信号、注入速度）は、パワーインゼクタと１つもしくはそれ以上の他の構成要素との間に伝えられ得る。任意の適切な数の注射器は任意の適切な方法（例えば、分離可能に、前部装填、後部装填、側部装填）でパワーインゼクタに一体化され得、任意の適切な流体はパワーインゼクタの所与の注射器から排出され得、そして任意の適切な流体は任意の適切な方法で（例えば、順次に、同時に）複数の注射器パワーインゼクタ構成から排出され得、またはこれらの組み合わせである。一実施形態において、パワーインゼクタの動作によって注射器から排出される流体は導管に向けられ、この導管は、任意の適切な方法で注射器と流体的に相互に接続され、所望の場所に流体を向ける（例えば、注入のために患者に）。
例えば、本発明は以下の項目を提供する。
（項目１）
流体貯槽と、
該流体貯槽から流体目標に延びる第１の流れ経路と、
該第１の流れ経路と流体的に相互に接続されるインゼクタと、
エネルギ源であって、該第１の流れ経路の少なくとも一部は該エネルギ源の出力に露出される、エネルギ源と
を備えている、流体送達システム。
（項目２）
上記流体貯槽は、造影剤を含む、項目１に記載の流体送達システム。
（項目３）
上記流体貯槽は、複数の流体送達処置に適応させるためにある量の流体を備えている、項目１〜２のうちのいずれか１項に記載の流体送達システム。
（項目４）
上記第１の流れ経路は、少なくとも１つの導管を備えている、項目１〜３のうちのいずれか１項に記載の流体送達システム。
（項目５）
上記第１の流れ経路は、取り外し可能に相互に接続される、第１の導管部および第２の導管部を備え、該第１の導管部は、該第２の導管部から流体目標に延び、使い捨てであり、該第２の導管部は、複数の流体送達処置のために再使用可能である、項目１〜４のうちのいずれか１項に記載の流体送達システム。
（項目６）
上記第１の導管部の少なくとも一部は、上記エネルギ源の上記出力に露出される、項目５に記載の流体送達システム。
（項目７）
上記インゼクタは、パワーインゼクタを備えている、項目１〜６のうちのいずれか１項に記載の流体送達システム。
（項目８）
上記インゼクタは、手動注射器を備えている、項目１〜６のうちのいずれか１項に記載の流体送達システム。
（項目９）
上記エネルギ源は、少なくとも１つのヒータを備えている、項目１〜８のうちのいずれか１項に記載の流体送達システム。
（項目１０）
上記エネルギ源は、放射線源を備えている、項目１〜８のうちのいずれか１項に記載の流体送達システム。
（項目１１）
上記第１の流れ経路の少なくとも約１３センチメールは、上記エネルギ源からの上記出力に露出される、項目１〜１０のうちのいずれか１項に記載の流体送達システム。
（項目１２）
流体貯槽に貯蔵されている流体を送達する方法であって、
該流体貯槽から該流体の少なくとも一部を排出するステップと、
第１の流体目標に第１の流体投与量を送達するステップであって、該排出ステップからの該流体は該第１の流体投与量を含む、ステップと、
流れ経路の少なくとも一部分をエネルギ源出力に露出するステップであって、該流れ経路は該流体貯槽から該第１の流体目標に延びる、ステップと
を包含する、方法。
（項目１３）
上記流体貯槽は造影剤を含み、それにより、該第１の投与量は造影剤を含む、項目１２に記載の方法。
（項目１４）
上記送達ステップは、パワーインゼクタを用いることを包含する、項目１２〜１３のいずれか１項に記載の方法。
（項目１５）
上記送達ステップは、注射器を手動で操作することを包含する、項目１２〜１３のいずれか１項に記載の方法。
（項目１６）
上記露出するステップは、上記流れ経路の上記少なくとも一部分を加熱することを包含する、項目１２〜１５のいずれか１項に記載の方法。
（項目１７）
上記露出するステップは、上記流れ経路の上記少なくとも一部分を少なくとも約４０℃の温度まで加熱することを包含する、項目１２〜１５のいずれか１項に記載の方法。
（項目１８）
上記露出するステップは、上記流れ経路の上記少なくとも一部分を放射することを包含する、項目１２〜１５のいずれか１項に記載の方法。
（項目１９）
上記露出するステップは、上記第１の投与量を送達する上記ステップ後に実行される、項目１２〜１８のいずれか１項に記載の方法。
（項目２０）
上記第１の流体目標を上記流体貯槽から流体的に隔離するステップと、
上記排出するステップを繰り返すステップと、
第２の流体目標を上記流体貯槽に流体的に接続するステップと、
第２の流体投与量を該第２の流体目標に送達するステップであって、該排出するステップを繰り返すステップからの該流体は、該第２の流体投与量を含む、ステップと
をさらに包含する、項目１２〜１９のいずれか１項に記載の方法。
（項目２１）
流体貯槽と、
該流体貯槽と流体的に相互に接続可能な第１の容器と、
該流体貯槽および該第１の容器のうちの少なくとも１つに流体的に相互に接続可能なインゼクタと、
該第１の容器と流体的に相互に接続可能なフラッシュシステムであって、該インゼクタは該フラッシュシステムの一部ではない、フラッシュシステムと、
該インゼクタから延びる導管であって、該導管を通る流れは流体目標に向けられ得る、導管と
を備えている、流体送達システム。
（項目２２）
上記流体貯槽は造影剤を含む、項目２１に記載の流体送達システム。
（項目２３）
上記流体貯槽は、複数の流体送達処置に適応するある量の流体を含む、項目２１〜２２のいずれか１項に記載の流体送達システム。
（項目２４）
上記インゼクタは、パワーインゼクタを備えている、項目２１〜２３のうちのいずれか１項に記載の流体送達システム。
（項目２５）
上記インゼクタは、手動注射器を備えている、項目２１〜２３のうちのいずれか１項に記載の流体送達システム。
（項目２６）
上記フラッシュシステムは、各々が上記第１の容器と流体的に相互に接続可能であるフラッシュ源とフラッシュレセプタクルとを備えている、項目２１〜２５のうちのいずれか１項に記載の流体送達システム。
（項目２７）
上記第１の容器は、
上記流体貯槽および上記フラッシュ源の各々と流体的に相互に接続可能な第１の入口ポートと、
上記流体目標および上記フラッシュレセプタクルの各々と流体的に相互に接続可能な第１の出口ポートであって、該第１の容器は、該流体貯槽から流体的に隔離され、該第１の入口ポートを通って該フラッシュ源と流体的に相互に接続され得、該第１の容器は、該流体目標から流体的に隔離され、該第１の出口ポートを通って該フラッシュレセプタクルに流体的に接続され得、該フラッシュ源からのフラッシュ媒体は、該流体貯槽および該流体目標の各々がすべて該第１の容器から流体的に隔離されている状態で、該第１の入口ポートを通って該第１の容器の中に向けられ得、該第１の出口ポートを通って該第１の容器から出るように向けられ得る、第１の出口ポートと
を備えている、項目２６に記載の流体送達システム。
（項目２８）
上記第１の容器は、
上記流体貯槽と流体的に相互に接続可能な第１の入口ポートと、
上記フラッシュ源と流体的に相互に接続可能な第２の入口ポートと、
上記流体目標および上記フラッシュレセプタクルの各々と流体的に相互に接続可能な第１の出口ポートであって、該フラッシュ源からのフラッシュ媒体は、該流体貯槽および該流体目標の各々がすべて該第１の容器から流体的に隔離されている状態で、該第２の入口ポートを通って該第１の容器の中に向けられ得、該第１の容器から該第１の出口ポートを通って該フラッシュレセプタクルに向けられ得る、第１の出口ポートと
を備えている、項目２６に記載の流体送達システム。
（項目２９）
上記第１の容器は、
上記流体貯槽と流体的に相互に接続可能な第１の入口ポートと、
上記フラッシュ源と流体的に相互に接続可能な第２の入口ポートと、
上記流体目標と流体的に相互に接続可能な第１の出口ポートと、
上記フラッシュレセプタクルと流体的に相互に接続可能な第２の出口ポートであって、該フラッシュ源からのフラッシュ媒体は、該流体貯槽および該流体目標の各々が該第１の容器から流体的に隔離されている間中、該第２の入口ポートを通って該第１の容器の中に向けられ得、該第１の容器から該第２の出口ポートを通って該フラッシュレセプタクルに向けられ得る、第２の出口ポートと
を備えている、項目２６に記載の流体送達システム。
（項目３０）
上記第１の容器は、
上記流体貯槽と流体的に相互に接続可能な第１の入口ポートと、
上記フラッシュ源および上記フラッシュレセプタクルの各々と流体的に接続可能なフラッシュポートと、
上記流体目標と流体的に相互に接続可能な第１の出口ポートであって、該フラッシュ源からのフラッシュ媒体は、該流体貯槽および該流体目標の各々が該第１の容器から流体的に隔離されている間中、該フラッシュポートを通って該第１の容器の中に向けられ得、該第１の容器から該第フラッシュポートを通って該フラッシュレセプタクルに向けられ得る、第１の出口ポートと
を備えている、項目２６に記載の流体送達システム。
（項目３１）
上記フラッシュシステムは、アルコールと、水蒸気と、ＥＴＯと、水と、空気と、不活性ガスと、複数の不活性ガスの組み合わせと、漂白剤と、過酸化水素水と、酸素と、これらの組み合わせとから成る群から選択される流体を備えている、項目２１〜３０のうちのいずれか１項に記載の流体送達システム。
（項目３２）
エネルギ源をさらに備え、上記第１の容器の少なくとも一部は、該エネルギ源の出力に露出される、項目２１〜３１のいずれか１項に記載の流体送達システム。
（項目３３）
上記エネルギ源は、放射線源を備えている、項目３２に記載の流体送達システム。
（項目３４）
上記出力は、熱、γ放射線、紫外光、赤外光、およびこれらの任意の組み合わせから成る群から選択される、項目３２に記載の流体送達システム。
（項目３５）
滅菌システムをさらに備え、該滅菌システムからの出力は、上記第１の容器内の中身と物理的に接触することなく、該中身と少なくとも動作可能にインタフェースする、項目２１〜３１のいずれか１項に記載の流体送達システム。
（項目３６）
流体貯槽から第１の容器の中に第１の流体量を向けるステップと、
第１の流体目標に第１の投与量を送達するステップであって、該第１の流体量は該第１の投与量を含む、ステップと、
該第１の投与量を送達するステップ後に該第１の容器から該第１の流体量の任意の残りの少なくとも一部分を除去するステップと、
該流体貯槽から該第１の容器の中に第２の流体量を向けるステップと、
第２の流体目標に第２の投与量を送達するステップであって、該第２の流体量は該第２の投与量を含む、ステップと
を包含する、流体を送達する方法。
（項目３７）
上記流体貯槽は、造影剤を含み、それにより、上記第１および第２の流体量は各々造影剤を含む、項目３６に記載の方法。
（項目３８）
各上記送達するステップは、パワーインゼクタを用いることを包含する、項目３６〜３７のいずれか１項に記載の方法。
（項目３９）
各上記送達するステップは、注射器を手動で操作することを包含する、項目３６〜３７のいずれか１項に記載の方法。
（項目４０）
上記除去するステップは、上記第１の容器内の上記第１の流体量の残りの少なくとも一部分を回収し、上記流体貯槽の中に戻すことを包含する、項目３６〜３９のいずれか１項に記載の方法。
（項目４１）
上記第１の容器は、上記第１の流体目標と流体的に相互に接続可能である出口ポートを備え、上記除去するステップは、該第１の容器の該出口ポートと該第１の流体目標との間の流体接続を切断することを包含する、項目３６〜３９のいずれか１項に記載の方法。
（項目４２）
上記第１の容器は、出口ポートと別個の出血ポートとを備え、該出口ポートは上記第１の流体目標と流体的に相互に接続可能であり、上記除去するステップは該出血ポートを通って該第１の容器から流体を排出することを包含する、項目３６〜３９のいずれか１項に記載の方法。
（項目４３）
上記除去するステップは、上記流体貯槽以外の供給源から上記第１の容器の中に第２の流体を導入することを包含する、項目３６〜３９のいずれか１項に記載の方法。
（項目４４）
上記除去するステップ後に上記第１の容器を洗浄するステップをさらに包含する、項目３６〜４３のいずれか１項に記載の方法。
（項目４５）
上記洗浄するステップは、上記フラッシュ媒体のいずれも上記流体貯槽に進ませることなく、さらに該フラッシュ媒体のいずれも上記第１の流体目標に進ませることなく、上記第１容器が該流体貯槽および該第１の流体目標の各々と物理的に相互に接続可能である状態のままで、フラッシュ媒体を該第１の容器を通過させる、項目４４に記載の方法。
（項目４６）
上記洗浄するステップは、上記第１の容器から上記流体貯槽を流体的に隔離することと、該第１の容器から上記第１の流体目標を流体的に隔離することと、該第１の容器の中にフラッシュ媒体を導入することと、該第１の容器から該フラッシュ媒体を排出することとを包含し、該フラッシュ媒体を導入するステップおよび該フラッシュ媒体を排出ステップは各々、該流体貯槽が該第１の容器から隔離されていて、該第１の流体目標が該第１の容器から流体的に隔離されている状態で実行される、項目４４に記載の方法。
（項目４７）
上記洗浄するステップは、上記流体貯槽が上記入口ポートから流体的に隔離されている状態で、上記第１の容器の入口ポートから該流体貯槽を流体的に隔離することと、該第１の容器の出口ポートから該第１の流体目標を流体的に隔離することと、該入口ポートを通って該第１の容器の中にフラッシュ媒体を導入することと、該第１の流体目標が該出口ポートから流体的に隔離されている状態で、該第１の容器から該出口ポートを通って該フラッシュ媒体を排出することとを包含する、項目４４に記載の方法。
（項目４８）
上記流体貯槽は、上記第１の容器の第１の入口ポートに流体的に相互に接続可能であり、上記第１の流体目標は、該第１の容器の出口ポートに流体的に相互に接続可能であり、上記洗浄するステップは、該流体貯槽が該第１の入口ポートから流体的に隔離されている状態で、該出口ポートから該第１の流体目標を流体的に隔離することと、該第１の容器の第２の入口ポートの中にフラッシュ媒体を導入することと、該第１の流体目標が該出口ポートから流体的に隔離されている状態で、該第１の容器から該出口ポートを通って該フラッシュ媒体を排出することとを包含する、項目４４に記載の方法。
（項目４９）
上記流体貯槽は、上記第１の容器の入口ポートに流体的に相互に接続可能であり、上記第１の流体目標は、該第１の容器の出口ポートに流体的に相互に接続可能であり、上記洗浄するステップは、該流体貯槽が該入口ポートから流体的に隔離されていて、該第１の流体目標が該出口ポートから流体的に隔離されている状態で、該入口ポートから該流体貯槽を流体的に隔離することと、該出口ポートから該第１の流体目標を流体的に隔離することと、該第１の容器の第１のフラッシュポートの中にフラッシュ媒体を導入することと、該流体貯槽が該入口ポートから流体的に隔離されていて、該第１の流体目標が該出口ポートから流体的に隔離されている状態で、該第１の容器から該第１の容器の第２のフラッシュポートを通って該フラッシュ媒体を排出することとを包含する、項目４４に記載の方法。
（項目５０）
上記流体貯槽は、上記第１の容器の入口ポートに流体的に相互に接続可能であり、上記第１の流体目標は、該第１の容器の出口ポートに流体的に相互に接続可能であり、上記フラッシュステップは、該流体貯槽が該入口ポートから流体的に隔離されていて、該第１の流体目標が該出口ポートから流体的に隔離されている状態で、該第１の容器の第１のフラッシュ部分の中にフラッシュ媒体を導入することと、該第１の容器から該第１のフラッシュ部分を通って該フラッシュ媒体を排出することとを包含する、項目４４に記載の方法。
（項目５１）
上記第１の容器の少なくとも一部分をエネルギ源出力に露出するステップをさらに包含する、項目３６〜５０のいずれか１項に記載の方法。
（項目５２）
上記エネルギ源出力は、γ放射線、光、赤外光、およびこれらの任意の組み合わせから成る群から選択される、項目５１に記載の方法。
（項目５３）
内部表面を備えているハウジングと、
該ハウジング内に移動可能に配置されるプランジャと、
該プランジャに取り付けられ、該プランジャに沿って間隔を空けて置かれた第１のシールおよび第２のシールであって、該第１のシールおよび第２のシールは該ハウジングの該内部表面と係合する、第１のシールおよび第２のシールと、
該第１のシールと該第２のシールとの間に含まれる第１の滅菌物質と
を備えている、流れ制御デバイス。
（項目５４）
上記第１の滅菌物質は、滅菌液、滅菌液がしみ込んだ固体、滅菌ガス、およびこれらの任意の組み合わせから成る群から選択される、項目５３に記載の流れ制御デバイス。
（項目５５）
上記固体は、スポンジ、布、多孔性材料、親水性材料、およびこれらの任意の組み合わせから成る群から選択される、項目５４に記載の流れ制御デバイス。
（項目５６）
上記ハウジングは、注射器バレルを備えている、項目５３〜５５のいずれか１項に記載の流れ制御デバイス。
（項目５７）
上記プランジャは、上記注射器バレルの端部を超えて延び、該プランジャは手動である、項目５６に記載の流れ制御デバイス。
（項目５８）
項目５３〜５６のいずれか１項に記載の上記流れ制御デバイスと駆動装置とを備えているパワーインゼクタであって、該駆動装置は、上記プランジャと相互に接続可能であり、該プランジャを前進させ、上記ハウジングからの流体排出を提供する、パワーインゼクタ。
（項目５９）
上記ハウジングと取り外し可能に係合するキャップをさらに備えている、項目５３〜５５のいずれか１項に記載の流れ制御デバイス。
（項目６０）
上記プランジャと係合する付勢部材をさらに備えている、項目５３〜５５および項目５９のいずれか１項に記載の流れ制御デバイス。
（項目６１）
上記付勢部材は、上記流れ制御デバイスに対して開放位置から閉鎖位置の方に離れるように上記プランジャを付勢する、項目６０に記載の流れ制御デバイス。
（項目６２）
上記プランジャに取り付けられ、該プランジャに沿って間隔を空けて置かれた第３のシールおよび第４のシールであって、該第３のシールおよび第４のシールは上記第１のシールおよび第２のシールから間隔を空けて置かれ、該第３のシールおよび該第４のシールは上記ハウジングの内部表面と係合する、第３のシールおよび第４のシールと、
該第３のシールと該第４のシールとの間に含まれる第２の滅菌物質と
をさらに備えている、項目５３〜５５および項目５９〜６１のいずれか１項に記載の流れ制御デバイス。
（項目６３）
第１のシールのペアは上記第１および第２のシールを備え、第２のシールのペアは上記第３および第４のシールを備え、上記流れ制御デバイスは、該第１のシールのペアと該第２のシールのペアとの間にある上記プランジャに取り付けられ、上記ハウジングの上記内部表面に係合可能である第５のシールをさらに備えている、項目６２に記載の流れ制御デバイス。
（項目６４）
上記ハウジングは第１の流れ通路と第２の流れ通路とを備え、上記プランジャが第１の位置にあるとき、上記第５のシールは該第１の流れ通路と該第２の流れ通路との間の流体連絡を塞ぎ、該プランジャを第２の位置に動かすことは、該第１の流れ通路と該第２の流れ通路との間の流体連絡を確立する、項目６３に記載の流れ制御デバイス。
（項目６５）
上記ハウジングは第１の流れ通路と第２の流れ通路とを備え、上記第５のシールは、上記プランジャが第１の位置にあるとき、該第１の流れ通路と該第２の流れ通路との間の位置において該ハウジングの上記内部表面と係合させられ、該プランジャを第２の位置に動かすことは、該第１の流れ通路と第２の流れ通路との間の流体連絡を確立するように、該第５のシールが該第１のシール通路と該第２のシール通路との間にはもはやない位置に該第５のシールを動かす、項目６３に記載の流れ制御デバイス。
（項目６６）
上記ハウジングは、選択的に流体連絡する第１の流れ通路と第２の流れ通路とを備えている、項目５３〜５５および項目５９〜６３のいずれか１項に記載の流れ制御デバイス。
（項目６７）
上記ハウジングは、第１の流れ通路と第２の流れ通路とを備え、該第１の流れ通路および該第２の流れ通路は、上記プランジャが第１の位置にあるとき流体的に隔離され、該プランジャを第２の位置に動かすことは、該第１の流れ通路と第２の流れ通路との間の流体連絡を確立する、項目５３〜５５および項目５９〜６３のいずれか１項に記載の流れ制御デバイス。
（項目６８）
流体目標と、該流体目標と流体的に相互に接続可能なコネクタと、項目６４〜６７のいずれか１項に記載の流れ制御デバイスとを備えている流体送達システムであって、該コネクタは、上記ハウジングに取り外し可能に相互に接続可能であり、第３の流れ通路を備え、該コネクタを該流れ制御デバイスに相互に接続することは、上記第１の流れ通路と、上記第２の通路と、該第３の流れ通路とを流体的に相互に接続する、流体送達システム。
（項目６９）
上記コネクタは、第１の部材をさらに備え、該第１の部材は同様に側壁を備え、上記第３の流れ通路は、該側壁と交差し、該第１の部材内に延びる、項目６８に記載の流体送達システム。
（項目７０）
上記第１の部材に取り付けられ、該第１の部材に沿って間隔を空けて置かれた第６のシールおよび第７のシールをさらに備え、該第３の流れ通路は該第６のシールと該第７のシールとの間において上記側壁と交差する、項目６９に記載の流体送達システム。
（項目７１）
上記第１の部材は、上記コネクタを上記流れ制御デバイスに相互に接続し、上記第１、第２、および第３の流れ通路を流体的に相互に接続するとき、該流れ制御デバイスの上記プランジャと係合し、該プランジャを動かす、項目６９〜７０のいずれか１項に記載の流体送達システム。
（項目７２）
上記第６および第７のシールは、上記コネクタを上記流れ制御デバイスに相互に接続し、上記第１、第２、および第３の流れ通路を流体的に相互に接続するとき、該流れ制御デバイスの上記ハウジングの上記内部表面と係合する、項目７０〜７１のいずれか１項に記載の流体送達システム。
（項目７３）
上記コネクタは、ピールオフ保護カバーをさらに備えている、項目６８〜７２のいずれか１項に記載の流体送達システム。
（項目７４）
流体貯槽をさらに備えている、項目６８〜７３のいずれか１項に記載の流体送達システム。
（項目７５）
流体貯槽と、項目５３〜５７および項目５９〜６７のいずれか１項に記載の流れ制御デバイスとを備えている、流体送達システム。
（項目７６）
上記流体貯槽は、造影剤を備えている、項目７４〜７５のいずれか１項に記載の流体送達システム。
（項目７７）
上記流体貯槽は、複数の注入処置に適応するある量の流体を備えている、項目７４〜７６のいずれか１項に記載の流体送達システム。
（項目７８）
流体を送達する方法であって、
流れ制御デバイスに流体を提供するステップであって、該流れ制御デバイスは、導管を画定する内部表面を有するハウジングを備えている、ステップと、
該内部表面の少なくとも一部に沿って滅菌要素を動かすステップと、
該滅菌要素を動かすステップ後に該導管の少なくとも一部を通って流すことによって、該流れ制御デバイスから該流体の少なくとも一部を排出するステップと
を包含する、方法。
（項目７９）
上記流体は、造影剤、放射性医薬品、食塩水、およびこれらの任意の組み合わせから成る群から選択される、項目７８に記載の方法。
（項目８０）
上記提供するステップは、注射器に充填することを包含する、項目７８〜７９のいずれか１項に記載の方法。
（項目８１）
上記提供するステップは、上記流れ制御デバイスに流体貯槽を流体的に相互に接続することを包含し、該流体貯槽は、複数の流体投与量を備えている、項目７８〜８０のいずれか１項に記載の方法。
（項目８２）
上記提供するステップは、上記流れ制御デバイスに第１の流体投与量を充填することを包含する、項目７８〜８１のいずれか１項に記載の方法。
（項目８３）
上記滅菌要素を動かすステップは、上記導管内においてプランジャを動かすことを包含し、該滅菌要素は該プランジャに取り付けられる、項目７８〜８２のいずれか１項に記載の方法。
（項目８４）
上記滅菌要素を動かすステップの少なくとも一部は、上記排出ステップの前に実行される、項目７８〜８３のいずれか１項に記載の方法。
（項目８５）
上記滅菌要素を動かすステップの少なくとも一部は、上記排出ステップ中に実行される、項目７８〜８４のいずれか１項に記載の方法。
法。
（項目８６）
上記滅菌要素を動かすステップの少なくとも一部は、上記排出ステップの前に実行され、該滅菌要素を動かすステップの少なくとも一部は、該排出ステップ中に実行される、項目７８〜８３のいずれか１項に記載の方法。
（項目８７）
上記滅菌要素は第１の位置と第２の位置との間で可動であり、上記流れ制御デバイスを通る流れ経路の少なくとも一部は該第１の位置にある該滅菌要素によって塞がれ、該流れ経路は上記導管を備え、該流れ制御デバイスを通る該流れ経路は該滅菌要素が該第２の位置にあるとき開いている、項目７８〜８６のいずれか１項に記載の方法。
（項目８８）
上記滅菌要素を動かすステップは、上記第１の位置から上記第２の位置に上記滅菌要素を動かすことを包含する、項目８７に記載の方法。
（項目８９）
上記流れ制御デバイスを通る流れ経路の少なくとも一部を塞ぐことに関連する位置に該流れ制御デバイスを付勢するステップをさらに包含し、該流れ経路は上記導管を備えている、項目７８〜８８のいずれか１項に記載の方法。
（項目９０）
上記流れ制御デバイスは手動注射器を備え、上記排出ステップは該手動注射器を操作することを包含する、項目７８〜８９のいずれか１項に記載の方法。
（項目９１）
上記流れ制御デバイスはパワーインゼクタのパワーヘッドに取り付けられたパワーインゼクタ注射器を備え、上記排出するステップは該パワーインゼクタを操作することを包含する、項目７８〜８９のいずれか１項に記載の方法。
（項目９２）
上記排出するステップの前に、上記導管を通る流体の流れに対する障害を除去するステップをさらに包含する、項目７８〜９１のいずれか１項に記載の方法。
（項目９３）
上記流れ制御デバイスに第１の流体目標を流体的に相互に接続するステップをさらに包含し、該滅菌要素を動かすステップは、該流体的に相互に接続するステップに応答する、項目７８〜９２のいずれか１項に記載の方法。
（項目９４）
上記排出するステップ後に上記流れ制御デバイスから上記第１の流体目標を流体的に切断するステップと、
該流体的に切断するステップに応答して、第２の上記滅菌要素を動かすステップを実行するステップと、
該流体的に切断するステップに応答して、該導管を通る任意の流体の流れを終結させるステップと
をさらに包含する、項目９３に記載の方法。
（項目９５）
上記終結するステップ後に第２の上記提供するステップを実行するステップと、
該終結するステップ後に上記流れ制御デバイスに第２の流体目標を流体的に相互に接続するステップと、
該第２の流体目標を流体的に相互に接続するステップに応答して、第３の上記滅菌要素を動かすステップを実行するステップと、
該第３の該滅菌要素を動かすステップを実行した後に該流れ制御デバイスから該流体の少なくとも一部を排出するステップと
をさらに包含する、項目９４に記載の方法。
（項目９６）
上記提供するステップの各々は、一般的な流体貯槽から流体を受け入れることを包含する、項目９５に記載の方法。
（項目９７）
上記排出するステップの前に上記流れ制御デバイスに目標の側面コネクタを結合するステップであって、該目標の側面コネクタは流体目標と流体的に相互に接続可能である、ステップをさらに包含する、項目７８〜９２のいずれか１項に記載の方法。
（項目９８）
上記流体的に相互に接続するステップは、上記流れ制御デバイスに目標の側面コネクタを結合することを包含する、項目９３〜９６のいずれか１項に記載の方法。
（項目９９）
上記方法は、
第１の取り外し可能キャップによって上記目標の側面コネクタの開放端部を密閉するステップと、
上記結合するステップの前に該第１の取り外し可能キャップを取り外すステップと
をさらに包含する、項目９７〜９８のいずれか１項に記載の方法。
（項目１００）
第２の取り外し可能キャップによって上記流れ制御デバイスの開放端部を密閉するステップと、
上記結合するステップの前に該第２の取り外し可能キャップを取り外すステップと
をさらに包含する、項目９７〜９９のいずれか１項に記載の方法。
（項目１０１）
上記滅菌要素を動かすステップは、上記結合するステップに応答する、項目９７〜１００のいずれか１項に記載の方法。
【図面の簡単な説明】
【００５０】
【図１】図１は、パワーインゼクタの一実施形態の概略図である。
【図２Ａ】図２Ａは、ポータブルスタンドマウントのデュアルヘッドパワーインゼクタの一実施形態の斜視図である。
【図２Ｂ】図２Ｂは、図２Ａのパワーインゼクタによって用いられるパワーヘッドの、拡大され部分的に分解された斜視図である。
【図２Ｃ】図２Ｃは、図２Ａのパワーインゼクタによって用いられる注射器プランジャ駆動アセンブリの一実施形態の概略図である。
【図３Ａ】図３Ａは、パワーインゼクタを利用する流体送達システムの一実施形態の斜視図である。
【図３Ｂ】図３Ｂは、手作動注射器を利用する流体送達システムの一実施形態の斜視図である。
【図４Ａ】図４Ａは、少なくとも１つの滅菌帯を利用する流体送達システムの一実施形態の概略図である。
【図４Ｂ】図４Ｂは、流体貯槽およびインゼクタの一仕組みと共に、少なくとも１つの滅菌帯を利用する流体送達システムの別の実施形態の概略図である。
【図４Ｃ】図４Ｃは、流体貯槽およびインゼクタの別の仕組みと共に、少なくとも１つの滅菌帯を利用する流体送達システムの別の実施形態の概略図である。
【図５Ａ】図５Ａは、中間チャンバを利用し、かつ図４Ａ〜図４Ｃの流体送達システムに組み込まれ得る滅菌システムの一実施形態の概略図である。
【図５Ｂ】図５Ｂは、中間チャンバを利用し、かつ図４Ａ〜図４Ｃの流体送達システムに組み込まれ得る滅菌システムの別の実施形態の概略図である。
【図５Ｃ】図５Ｃは、中間チャンバを利用し、かつ図４Ａ〜図４Ｃの流体送達システムに組み込まれ得る滅菌システムの別の実施形態の概略図である。
【図５Ｄ】図５Ｄは、中間チャンバを利用し、かつ図４Ａ〜図４Ｃの流体送達システムに組み込まれ得る滅菌システムの別の実施形態の概略図である。
【図６】図６は、エネルギ源を利用し、かつ図４Ａ〜図４Ｃの流体送達システムに組み込まれ得る滅菌システムの一実施形態の概略図である。
【図７Ａ】図７Ａは、自己滅菌流れ制御を利用し、かつ図４Ａ〜図４Ｃの流体送達システムに組み込まれ得る滅菌システムの一実施形態の概略図である。
【図７Ｂ】図７Ｂは、図７Ａの滅菌システムと連結して用いられる患者側コネクタの一実施形態の概略図である。
【図７Ｃ】図７Ｃは、図７Ｂの患者側コネクタが係合された状態の図７Ａの滅菌システムを示す。
【図８】図８は、自己滅菌流れ制御デバイスを利用し、かつ図４Ａ〜図４Ｃの流体送達システムに組み込まれ得る滅菌システムの別の実施形態の概略図である。
【発明を実施するための形態】
【００５１】
（詳細な説明）
図１は、パワーヘッド１２を有するパワーインゼクタ１０の一実施形態の概略図を提示する。１つもしくはそれ以上のグラフィカルユーザインタフェースまたはＧＵＩ  １１は、パワーヘッド１２に関連づけられ得る。各ＧＵＩ  １１は、１）任意の適切なサイズ、形状、構成、および／またはタイプであり得、２）任意の適切な方法でパワーヘッド１２と動作可能に相互に接続され得、３）任意の適切な場所に配置され得、４）次の機能のうちの１つまたは任意の組み合わせを提供するように構成され得る。すなわち、パワーインゼクタ１０の動作の１つもしくはそれ以上の局面を制御すること、パワーインゼクタ１０の動作に関連する１つもしくはそれ以上のパラメータを入力／編集すること、および（例えば、パワーインゼクタ１０の動作に関連する）適切な情報を表示すること、または５）上記のことの任意の組み合わせである。任意の適切な数のＧＵＩ  １１が利用され得る。一実施形態において、パワーインゼクタ１０は、ＧＵＩ  １１を含み、該ＧＵＩ  １１は、パワーヘッド１２から分離しているがパワーヘッド１２と通信するコンソールによって組み込まれる。別の実施形態において、パワーインゼクタ１０は、パワーヘッド１２の一部であるＧＵＩ  １１を含む。さらに別の実施形態において、パワーインゼクタ１０はパワーヘッド１２と通信する分離したコンソール上の１つのＧＵＩ  １１を利用し、また、パワーヘッド１２上にある別のＧＵＩ  １１を利用する。各ＧＵＩ  １１は同じ機能または複数の機能のセットを提供し得るか、または複数のＧＵＩ  １１はそれぞれの機能に関係する少なくとも一部の点において異なり得る。
【００５２】
注射器２８は、このパワーヘッド１２に取り付けられ得、パワーインゼクタ１０の一部であると考えられ得る。一部の注入処置は、比較的高い圧力が注射器２８内に生成されるという結果になり得る。この点に関して、圧力ジャケット２６内に注射器２８を配置することが望まれ得る。圧力ジャケット２６は典型的にはパワーヘッド１２に取り付けられ、それに続いて、圧力ジャケット２６内に注射器２８を配置する。同じ圧力ジャケット２６は、典型的にはパワーヘッド１２に取り付けられたままである。なぜなら、複数の注入処置のために、様々な注射器２８が圧力ジャケット２６内に配置され、圧力ジャケット２６から取り外されるからである。パワーインゼクタ１０が低圧力注入のために構成され／利用される場合、パワーインゼクタ１０は圧力ジャケット２６を除去し得る。いずれの場合においても、注射器２８から排出される流体は導管３８の中に向けられ得、導管３８は、任意の適切なサイズ、形状、構成、および／またはタイプであり得、任意の適切な方法で注射器２８と流体的に相互に接続され得、任意の適切な場所（例えば、患者）に流体を向け得る。
【００５３】
パワーヘッド１２は注射器プランジャ駆動アセンブリ１４を含み、注射器プランジャ駆動アセンブリ１４は、注射器２８とインタフェースし、注射器２８から流体を排出する。この注射器プランジャ駆動アセンブリ１４は、駆動出力１８（例えば、回転可能な駆動ねじ）を動力で動かす駆動源１６（例えば、適切なサイズ、形状、構成、および／またはタイプのモータ、オプションの伝動装置など）を含む。ラム２０は、駆動出力１８によって適切な経路に沿って（例えば、軸方向に）前進させられ得る。ラム２０はカプラ２２を含み得、カプラ２２は以下に論議される方法で注射器２８の対応する部分とインタフェースする。
【００５４】
注射器２８はプランジャまたはピストン３２を含み、プランジャまたはピストン３２は、注射器バレル３０内に可動に配置される（例えば、両方向に向かう矢印Ｂと一致する軸に沿った軸方向の往復運動に）。プランジャ３２はカプラ３４を含み得る。この注射器プランジャカプラ３４は、ラムカプラ２２と相互に接続し得、注射器プランジャ駆動アセンブリ１４が注射器バレル３０内に注射器プランジャ３２を引き込むことを可能にし得る。注射器プランジャカプラ３４はシャフト３６ａの形態であり得、シャフト３６ａはヘッドまたはボタン３６ｂと共に注射器プランジャ３２の本体から延びる。しかしながら、注射器プランジャカプラ３４は、任意の適切なサイズ、形状、構成、および／またはタイプであり得る。
【００５５】
注射器プランジャ３２の引き込みは、その後の注入または排出のために注射器バレル３０の中への流体の充填に適応させるために利用され得るか、その後の注入または排出のために注射器バレル３０の中に実際に流体を引き寄せるために利用され得るか、または任意の他の適切な目的のために利用され得る。特定の構成は、注射器プランジャ駆動アセンブリ１４が注射器プランジャ３２を引き込むことができることを必要としない場合があり、この場合、ラムカプラ２２および注射器プランジャ３４は必要でない場合がある。ラムカプラ２２および注射器プランジャ３４が利用されるときでさえ、これらの要素は、ラム２０が注射器プランジャ３２を前進させ、注射器２８から流体を排出するとき、結合され得るか、または結合されない場合がある（例えば、ラム２０は注射器プランジャカプラ３４または注射器プランジャ３２の近位端を単に「プッシュオン」し得る）ようにあり得る。任意の適切な寸法または複数の寸法の組み合わせにおける任意の単一の動作または複数の動作の組み合わせは、ラムカプラ２２および注射器プランジャカプラ３４を結合状態または結合条件に配置するか、ラムカプラ２２および注射器プランジャカプラ３４を結合しない状態または結合しない条件に配置するか、またはその両方ために用いられ得る。
【００５６】
注射器２８は、任意の適切な方法でパワーヘッド１２に取り付けられ得る。例えば、注射器２８は、パワーヘッド１２に直接に取り付けられるように構成され得る。例示される実施形態において、ハウジング２４は、パワーヘッド１２に適切に取り付けられ、注射器２８とパワーヘッド１２との間のインタフェースを提供する。このハウジング２４は、１つもしくはそれ以上の構成の注射器２８が取り付けられ得るアダプタの形態であり得、この場合、注射器２８に対する少なくとも１つの構成は、そのようないかなるアダプタも用いることなく、パワーヘッド１２に直接に取り付けられ得る。ハウジング２４はまた、１つもしくはそれ以上の構成の注射器２８が取り付けられ得るフェースプレートの形態であり得る。この場合、注射器２８をパワーヘッド１２に取り付けるためにフェースプレートが必要であり、注射器２８は、フェースプレートなしにパワーヘッド１２に取り付けられない場合があり得る。圧力ジャケット２６が用いられているとき、圧力ジャケット２６は、注射器２８に関係して本明細書において論議される様々な方法でパワーヘッド１２に取り付けられ得、注射器２８は、次いでその後に圧力ジャケット２６に取り付けられる。
【００５７】
注射器２８を取り付けるとき、ハウジング２４は、パワーヘッド１２に対して固定された位置に取り付けられ得、そして固定された位置のままであり得る。別のオプションは、ハウジング２４とパワーヘッド１２とを可動に相互に接続し、注射器２８を取り付けるように適応することである。例えば、ハウジング２４は、両方向に向かう矢印Ａを含む平面内を動き得、ラムカプラ２２と注射器プランジャカプラ３４との間における１つもしくはそれ以上の結合状態または結合条件、および結合しない状態または条件を提供し得る。
【００５８】
１つの特定のパワーインゼクタ構成は、図２Ａに例示され、参照数字４０によって識別され、そして少なくともおおよそ図１のパワーインゼクタ１０に従う。パワーインゼクタ４０は、ポータブルスタンド４８に取り付けられたパワーヘッド５０を含む。パワーインゼクタ４０のための一対の注射器８６ａ、８６ｂは、パワーヘッド５０に取り付けられる。流体は、パワーインゼクタ４０の動作中に注射器８６ａ、８６ｂから排出され得る。
【００５９】
ポータブルスタンド４８は、任意の適切なサイズ、形状、構成、および／またはタイプであり得る。車輪、ローラ、キャスタまたは類似のものが、スタンド４８をポータブルにするために利用され得る。パワーヘッド５０は、ポータブルスタンド４８に対して固定された位置に維持され得る。しかしながら、パワーヘッド５０の位置が少なくともある方法でポータブルスタンド４８に対して調整可能であることが望まれ得る。例えば、注射器８６ａ、８６ｂのうちの１つもしくはそれ以上の中に流体を充填するとき、ポータブルスタンド４８に対して１つの位置にパワーヘッド５０を有すること、および注入処置の実行のためにポータブルスタンド４８に対して異なる位置にパワーヘッド５０を有することが望まれ得る。この点において、パワーヘッド５０は、任意の適切な方法でポータブルスタンド４８に可動に相互に接続され得る（例えば、パワーヘッド５０は少なくとも特定の動作範囲にわたって旋回され得、その後望ましい位置に維持され得るように）。
【００６０】
パワーヘッド５０が流体を提供する任意の適切な方法で支持され得ることは理解されるべきである。例えば、パワーヘッド５０は、ポータブル構造に取り付けられる代わりに、サポートアセンブリと相互に接続され得、該サポートアセンブリは同様に適切な構造（例えば、天井、壁、床）に取り付けられる。パワーヘッド５０のための任意のサポートアセンブリは、少なくとも一部の箇所において位置的に調整可能であり得る（例えば、１つもしくはそれ以上の支持部であって、もう一つの他の支持部に対して再配置され得る、支持部を有することによって）か、または固定された位置に維持され得る。さらに、パワーヘッド５０は、固定された位置に維持されるか、またはサポートアセンブリに対して調整可能であることのいずれかであるように、任意のそのようなサポートアセンブリに一体化され得る。
【００６１】
パワーヘッド５０は、グラフィカルユーザインタフェースまたはＧＵＩ  ５２を含む。このＧＵＩ  ５２は、以下の機能のうちの１つまたは以下の機能の任意の組み合わせを提供するように構成され得る。すなわち、パワーインゼクタ４０の動作の１つもしくはそれ以上の局面を制御すること、パワーインゼクタ４０の動作に関連する１つもしくはそれ以上のパラメータを入力／編集すること、および適切な情報を表示すること（例えば、パワーインゼクタ４０の動作に関連する情報）である。パワーインゼクタ４０はまた、コンソール４２とパワーパック４６とを含み得、コンソール４２およびパワーパック４６は各々、任意の適切な方法で（例えば、１つもしくはそれ以上のケーブルを介して）、パワーヘッド５０と通信し得るか、診察室もしくは任意の他の場所においてテーブルに配置され得るかもしくは電子機器ラックに取り付けられ得るか、またはその両方であり得る。パワーパック４６は、以下のもののうちの１つもしくはそれ以上を任意の適切な組み合わせで含み得る。すなわち、インゼクタ４０用電源、コンソール４２とパワーヘッド５０との間の通信を提供するインタフェース回路、リモートコンソール、リモートハンドまたはフット制御スイッチなどのリモートユニットにパワーインゼクタ４０を接続することを可能にする回路、または他の相手先商標製造会社（ＯＥＭ）のリモートコントロール接続部（例えば、パワーインゼクタ４０の動作が撮像システムのｘ線露出と同期することを可能にする）、および任意の他の適切な構成要素である。コンソール４２は、タッチスクリーンディスプレイ４４を含み得、タッチスクリーンディスプレイ４４は、同様に以下の機能のうちの１つもしくはそれ以上の機能を任意の適切な組み合わせで提供し得る。すなわち、オペレータがパワーインゼクタ４０の動作の１つもしくはそれ以上の局面を遠隔制御することを可能にすること、オペレータがパワーインゼクタ４０の動作に関連する１つもしくはそれ以上のパラメータを入力／編集することを可能にすること、オペレータがパワーインゼクタ４０の自動化動作のプログラム（これは、後にオペレータによる開始時にパワーインゼクタ４０によって自動的に実行され得る）を指定および格納することを可能にすること、およびパワーインゼクタ４０に関係し、パワーインゼクタ４０の動作の任意の局面を含む任意の適切な情報を表示することである。
【００６２】
パワーヘッド５０との注射器８６ａ、８６ｂの一体化に関する様々な細部は、図２Ｂに提示される。注射器８６ａ、８６ｂの各々は、同じ一般的な構成要素を含む。注射器８６ａは、注射器バレル８８ａ内に可動に配置されるプランジャまたはピストン９０ａを含む。パワーヘッド５０の動作によって軸１００ａ（図２Ａ）に沿ったプランジャ９０ａの動きは、注射器８６ａのノズル８９ａを通って注射器バレル８８ａ内から流体を排出する。適切な導管（図示されていない）は、典型的には、任意の適切な方法でノズル８９ａに流体的に相互に接続され、所望の場所（例えば、患者）に流体を向ける。同様に、注射器８６ｂは、注射器バレル８８ｂ内に可動に配置されるプランジャまたはピストン９０ｂを含む。パワーヘッド５０の動作による軸１００ｂ（図２Ａ）に沿ったプランジャ９０ｂの動きは、注射器８６ｂのノズル８９ｂを通って注射器バレル８８ｂ内から流体を排出する。適切な導管（図示されていない）は、典型的には、任意の適切な方法でノズル８９ｂに流体的に相互に接続され、所望の場所（例えば、患者）に流体を向ける。
【００６３】
注射器８６ａは、中間フェースプレート１０２ａを介してパワーヘッド５０と相互に接続される。このフェースプレート１０２ａは、クレードル１０４を含み、クレードル１０４は、注射器バレル８８ａの少なくとも一部を支持し、任意の追加の機能または複数の機能の組み合わせを提供し／それに適応し得る。マウンティング８２ａは、フェースプレート１０２ａとインタフェースするためにパワーヘッド５０に対して固定される。注射器８６ａのための注射器プランジャ駆動アセンブリ５６の各部分であるラム７４のラムカプラ７６は、パワーヘッド５０に取り付けられるとき、フェースプレート１０２ａの近くに位置を決められる。注射器プランジャ駆動アセンブリ５６に関する詳細は、図２Ｃに関係してより詳細に以下に論議される。概して、ラムカプラ７６は、注射器８６ａの注射器プランジャ９０ａに結合され得、ラムカプラ７６およびラム７４は次いで、パワーヘッド５０に対して動かされ、軸１００ａ（図２Ａ）に沿って注射器プランジャ９０ａを動かし得る。ラムカプラ７６が、注射器プランジャ９０ａを動かして、注射器８６ａのノズル８９ａを通って流体を排出するとき、ラムカプラ７６は、注射器プランジャ９０ａと係合するが、実際には結合しない場合があり得る。
【００６４】
フェースプレート１０２ａは、少なくともおよそ、軸１００ａ、１００ｂに直交する平面内において動かされ得（それぞれ、注射器プランジャ９０ａ、９０ｂの動きに関連し、図２Ａに例示される）、軸１００ａ、１００ｂの両方とも、パワーヘッド５０上のフェースプレート１０２ａのマウンティング８２ａにフェースプレート１０２ａを取り付け、パワーヘッド５０のフェースプレート１０２ａのマウンティング８２ａからフェースプレート１０２ａを取り外し得る。フェースプレート１０２ａは、パワーヘッド５０の注射器プランジャ９０ａに対応するラムカプラ７６に注射器プランジャ９０ａを結合するために用いられ得る。この点において、フェースプレート１０２ａは、一対のハンドル１０６ａを含む。概して、そして注射器８６ａがフェースプレート１０２ａ内に最初に位置を決められると、ハンドル１０６ａは、少なくともおよそ、軸１００ａ、１００ｂに直交する平面内において注射器８６ａを動かし／平行移動させるように同様に動かされ得る（それぞれ、注射器プランジャ９０ａ、９０ｂの動きに関連し、図２Ａに例示される）。ハンドル１０６ａを１つの位置に動かすことは、少なくともおよそ下方に注射器８６ａを動かし／平行移動させ（フェースプレート１０２ａに対して）、注射器８６ａの注射器プランジャ９０ａを注射器プランジャ９０ａの対応するラムカプラ７６に結合する。ハンドル１０６ａを別の位置に動かすことは、少なくともおよそ上方に注射器８６ａを動かし／平行移動させ（フェースプレート１０２ａに対して）、注射器８６ａの注射器プランジャ９０ａの結合を注射器プランジャ９０ａの対応するラムカプラ７６から外す。
【００６５】
注射器８６ｂは、中間フェースプレート１０２ｂを介してパワーヘッド５０と相互に接続される。マウンティング８２ｂは、フェースプレート１０２ｂとインタフェースするためにパワーヘッド５０に配置され、パワーヘッド５０に対して固定される。注射器８６ｂのための注射器プランジャ駆動アセンブリ５６の各部分であるラム７４のラムカプラ７６は、パワーヘッド５０に取り付けられるとき、フェースプレート１０２ｂの近くに位置を決められる。注射器プランジャ駆動アセンブリ５６に関する詳細は、再び図２Ｃに関係してより詳細に以下に論議される。概して、ラムカプラ７６は、注射器８６ｂの注射器プランジャ９０ｂに結合され得、ラムカプラ７６およびラム７４は次いで、パワーヘッド５０に対して動かされ得、軸１００ｂ（図２Ａ）に沿って注射器プランジャ９０ｂを動かし得る。ラムカプラ７６が、注射器プランジャ９０ｂを動かし、注射器８６ｂのノズル８９ｂを通って流体を排出するとき、注射器プランジャ９０ｂと係合するが、実際には結合しないようにあり得る。
【００６６】
フェースプレート１０２ｂは、少なくともおよそ、軸１００ａ、１００ｂに直交する平面内において動かされ得（それぞれ、注射器プランジャ９０ａ、９０ｂの動きに関連し、図２Ａに例示される）、軸１００ａ、１００ｂの両方とも、パワーヘッド５０のマウンティング８２ｂにフェースプレート１０２ｂを取り付け、パワーヘッド５０のフェースプレート１０２ｂのマウンティング８２ｂからフェースプレート１０２ｂを取り外すためのものであり得る。フェースプレート１０２ｂはまた、パワーヘッド５０の注射器プランジャ９０ｂに対応するラムカプラ７６に注射器プランジャ９０ｂを結合するために用いられ得る。この点において、フェースプレート１０２ｂは、ハンドル１０６ｂを含み得る。注射器８６ｂは、概して、そして注射器８６ｂがフェースプレート１０２ｂ内に最初に位置を決められると、注射器８６ｂの長軸１００ｂ（図２Ａ）に沿ってかつフェースプレート１０２ｂに対して回転させられ得る。この回転は、ハンドル１０６ｂを動かすことによってか、注射器８６ｂを掴んで、注射器８６ｂを回すことによってか、またはその両方によって、達成され得る。いずれの場合においても、この回転は、少なくともおよそ、軸１００ａ、１００ｂに直交する平面内に注射器８６ｂおよびフェースプレート１０２ｂの両方を動かし／平行移動させる（それぞれ、注射器プランジャ９０ａ、９０ｂの動きに関連し、図２Ａに例示される）。注射器８６ｂを一方向に動かすことは、少なくともおよそ下方に注射器８６ｂおよびフェースプレート１０２ｂを動かし／平行移動させ、注射器プランジャ９０ｂを注射器プランジャ９０ｂの対応するラムカプラ７６に結合する。注射器８６ｂを反対の方向に動かすことは、少なくともおよそ上方に注射器８６ｂおよびフェースプレート１０２ｂを動かし／平行移動させ、注射器８６ｂの注射器プランジャ９０ｂの結合を注射器プランジャ９０ｂの対応するラムカプラ７６から外す。
【００６７】
図２Ｂに例示されるように、注射器プランジャ９０ｂは、プランジャ本体９２と注射器プランジャカプラ９４とを含む。この注射器プランジャカプラ９４はシャフト９８を含み、シャフト９８はプランジャ本体９２から間隔を空けて置かれたヘッド９６と共にプランジャ本体９２から延びる。ラムカプラ７６の各々は、ラムカプラ７６のフェース上の小さい方のスロットの後ろに位置を決められる大きい方のスロットを含む。注射器プランジャカプラ９４のヘッド９６は、ラムカプラ７６の大きい方のスロット内に位置を決められ得、注射器プランジャ９０ｂおよび注射器プランジャ９０ｂの対応するラムカプラ７６が結合状態または結合条件にあるとき、注射器プランジャカプラ９４のシャフト９８はラムカプラ７６のフェース上の小さい方のスロットを通って延び得る。注射器プランジャ９０ａは、注射器プランジャカプラ９４に対応するラムカプラ７６とインタフェースするために類似する注射器プランジャカプラ９４を含み得る。
【００６８】
パワーヘッド５０は、パワーインゼクタ４０の場合に注射器８６ａ、８６ｂから流体を排出するために利用される。すなわち、パワーヘッド５０は、注射器８６ａ、８６ｂの各々から流体を排出する推進力を提供する。注射器プランジャ駆動アセンブリとして特徴づけられ得るものの一実施形態が、図２Ｃに例示され、参照数字５６によって識別され、そして注射器８６ａ、８６ｂの各々から流体を排出するパワーヘッド５０によって利用され得る。別個の注射器プランジャ駆動アセンブリ５６は、注射器８６ａ、８６ｂの各々のためにパワーヘッド５０の中に組み込まれ得る。この点において、そして図２Ａ〜図２Ｂに戻り参照すると、パワーヘッド５０は、注射器プランジャ駆動アセンブリ５６の各々を別々に制御する際に用いられる手動ノブ８０ａと８０ｂとを含み得る。
【００６９】
最初にそして図２Ｃの注射器プランジャ駆動アセンブリ５６に関係して、注射器プランジャ駆動アセンブリ５６の個々の構成要素の各々は、任意の適切なサイズ、形状、構成および／またはタイプであり得る。注射器プランジャ駆動アセンブリ５６は、出力シャフト６０を有するモータ５８を含む。駆動ギア６２は、モータ５８の出力シャフト６０に取り付けられ、モータ５８の出力シャフト６０と共に回転する。駆動ギア６２は、被駆動ギア６４と係合するか、または少なくとも係合可能である。この被駆動ギア６４は、駆動ねじまたはシャフト６６に取り付けられ、駆動ねじまたはシャフト６６と共に回転する。駆動ねじ６６が周りを回転する軸は、参照数字６８によって識別される。１つもしくはそれ以上のベアリング７２は、駆動ねじ６６を適切に支持する。
【００７０】
キャリッジまたはラム７４は、駆動ねじ６６に可動に取り付けられる。概して、一方向の駆動ねじ６６の回転は、対応する注射器８６ａ／ｂの方向に駆動ねじ６６に沿って（そしてそれによって軸６８に沿って）ラム７４を軸方向に前進させ、一方、反対方向の駆動ねじ６６の回転は、対応する注射器８６ａ／ｂから離れるように駆動ねじ６６に沿って（そしてそれによって軸６８に沿って）ラム７４を軸方向に前進させる。この点において、駆動ねじ６６の少なくとも一部の周囲は、ラム７４の少なくとも一部とインタフェースするらせん状のねじ切り７０を含む。ラム７４はまた、駆動ねじ６６の回転中にラム７４が回転しないようにする適切なブッシング７８内に可動に取り付けられる。従って、駆動ねじ６６の回転は、駆動ねじ６６の回転方向によって決定される方向にラム７４の軸方向の動きを提供する。
【００７１】
ラム７４はカプラ７６を含み、カプラ７６は対応する注射器８６ａ／ｂの注射器プランジャ９０ａ／ｂの注射器プランジャカプラ９４に分離可能に結合され得る。ラムカプラ７６と注射器プランジャカプラ９４とが適切に結合されているとき、注射器プランジャ９０ａ／ｂは、ラム７４と共に動く。図２Ｃは、注射器８６ａ／ｂがラム７４に結合されることなく注射器８６ａ／ｂの対応する軸１００ａ／ｂに沿って動かされ得る構成を例示する。注射器プランジャ９０ａ／ｂのヘッド９６がラムカプラ７６に整列させられるが、軸６８がなおも図２Ｃのずれた構成であるように、注射器８６ａ／ｂが注射器８６ａ／ｂの対応する軸１００ａ／ｂに沿って移動されるとき、注射器８６ａ／ｂは、ラム７４が沿って動く軸６８に直交する平面内において平行移動され得る。このことは、上記の方法でラムカプラ７６と注射器プランジャカプラ９６との間の結合された係合を確立する。
【００７２】
図１および図２Ａ〜図２Ｃのパワーインゼクタ１０、４０の各々は、流体が被験体（例えば、患者）の中に注入される医療撮像用途を含むがこれに限定されない任意の適切な用途に用いられ得る。パワーインゼクタ１０、４０の代表的な医療描写用途は、コンピュータ断層撮影法またはＣＴ撮影法と、磁気共鳴映像またはＭＲＩと、ＳＰＥＣＴ撮影法と、ＰＥＴ撮影法と、Ｘ線撮影法と、血管撮影法と、光学撮影法と、超音波撮影法とを含むがこれらに限定されない。パワーインゼクタ１０、４０の各々は、単独にまたは１つもしくはそれ以上の他の構成要素と組み合わせて用いられ得る。パワーインゼクタ１０、４０の各々は、１つもしくはそれ以上の構成要素に動作可能に相互に接続され得、その結果、例えばパワーインゼクタ１０、４０と１つもしくはそれ以上の他の構成要素との間で情報が伝えられ得る（例えば、走査遅延情報、注入開始信号、注入速度）。
【００７３】
シングルヘッド構成（１つの注射器用）とデュアルヘッド構成（２つの注射器用）とを含むがこれらに限定されない任意の数の注射器がパワーインゼクタ１０、４０の各々によって利用され得る。複数の注射器構成の場合、各パワーインゼクタ１０、４０は、任意の適切な方法でそして任意のタイミング順序に従って様々な注射器から流体を排出し得る（例えば、２つもしくはそれ以上の注射器からの順次排出、２つもしくはそれ以上の注射器からの同時排出、またはこれらの任意の組み合わせ）。パワーインゼクタ１０、４０の各々によって利用される各々のそのような注射器は、例えば造影剤、放射性医薬品、または食塩水である任意の適切な流体を含み得る。パワーインゼクタ１０、４０の各々によって利用される各々のそのような注射器は、任意の適切な方法で取り付けられ得る（例えば、後部充填構成が利用され得るし、前部充填構成が利用され得る）。
【００７４】
様々な医療処置および獣医学処置を含むがこれらに限定されない多くの用途は、１つもしくはそれ以上の投与量の流体が被験体もしくは患者、またはより一般的には流体目標に送達されることを必要とする。図３Ａは、そのような用途または任意の他の適切な用途に用いられ得る流体送達システム３００Ａの一実施形態の斜視図を提示する。流体貯槽３０２は、流体目標３１８およびインゼクタ３０６ａの両方と流体的に相互に接続可能であり、この場合インゼクタ３０６ａはパワーインゼクタの形態である。流体貯槽３０２は、単一の流体または異なる複数の流体（例えば、造影剤、放射性医薬品、食塩水、および任意のこれらの組み合わせ）の組み合わせを含む任意の適切な流体を含み得る。流体目標３１８は、任意の適切な方法の注入によることを含むがこれに限定されない任意の適切な方法で流体貯槽３０２から流体を受容し得る。パワーインゼクタ３０６ａは、（例えば、図１のパワーインゼクタ１０および図２Ａのパワーインゼクタ４０に関する上記の論議に少なくともおおよそ従う）任意の適切なサイズ、形状、構成、および／またはタイプであり得、パワーヘッド３１０を含む。従って、パワーヘッド３１０は単一の注射器３１２を有して描かれているが、インゼクタ３０６ａは（例えば、図２Ａのパワーインゼクタ４０に従う）デュアルヘッド構成であり得る。
【００７５】
流体送達システム３００Ａは、参照数字３０７によって識別される、一般的に「チュービングセット（ｔｕｂｉｎｇ  ｓｅｔ）」呼ばれるものまたは類似のものを含む。チュービングセット３０７は、流体貯槽３０２と、パワーインゼクタ３０６ａと、流体目標３１８とを流体的に相互に接続する。チュービングセット３０７は、再使用可能部３０９として特徴づけられ得るものと、使い捨て部３０８として特徴づけられ得るものも同様に含む。チュービングセット３０７は、任意の適切なサイズ、形状、構成、および／またはタイプであり得るか、任意の適切な配置に置かれた任意の適切な導管もしくは複数の導管の組み合せを利用し得るか、任意の適切な方法で、任意の適切な機能もしくは複数の機能を提供する１つもしくはそれ以上の構成要素を組み込み得るか、またはこれらの任意の組み合わせであり得る。
【００７６】
１つもしくはそれ以上の指向性流れ制御デバイス３０４が、チュービングセット３０７の全体において任意の適切な場所に組み込まれ得る。例えば、１つもしくはそれ以上の指向性流れ制御デバイス３０４は、注射器３１２の充填中か、その後、流体目標３１８の中への流体の注入中か、またはその両方の最中に流体の流れを制御するために用いられ得る。流体送達システム３００Ａによって用いられる指向性流れ制御デバイス３０４の各々は、任意の適切なサイズ、形状、構成、および／またはタイプであり得る。一実施形態において、指向性流れ制御デバイス３０４は、注入中における流体貯槽３０２の中への流体の逆流、または注射器３１２の充填中における流体目標３１８からの流体の逆流の可能性を減少させるように適応した逆止め弁の形態であり得る。
【００７７】
図３Ｂは、今説明された同じ構成要素の多くを有するが、手動の注射器の形態であるインゼクタ３０６ｂを有する流体送達システム３００Ｂの別の実施形態の斜視図である。これらおよび他の実施形態において、流体は、流体貯槽３０２から取り出されて、次いでチュービングセット３０７を介して流体目標３１８に提供される。図３Ａ〜図３Ｂに描かれる流体貯槽３０２は別個の構成要素として描かれているが、他の実施形態において、流体貯槽３０２は、充填済注射器の形態であり得るか、またはそうでなければ任意の適切なタイプのインゼクタ（例えば、インゼクタ３０６ａ、注射器３０６ｂ）に一体化され得る。流体貯槽３０２は、標準化された量の流体を含み得、該標準化された量は所与の流体目標３１８によって必要とされる全量より多くあり得る。
【００７８】
図３Ａおよび図３Ｂの流体送達システム３００Ａおよび３００Ｂの各々によって用いられるチュービングセット３０７は、それぞれ再び、使い捨て部３０８と再使用可能部３０９とを含む。概して、１つもしくはそれ以上の滅菌帯はチュービングセット３０７の全体に分配され得、その結果、チュービングセット３０７の再使用可能部３０９は、それぞれの流体送達システム３００Ａ、３００Ｂのすべての上流の構成要素と同様に、複数の流体目標３１８に流体を提供するために用いられ得る（例えば、連続ベースで）。このことは次いで、流体貯槽３０２が複数の流体投与量を含むことを可能にする。少なくとも１つのそのような滅菌帯を組み込む様々な流体送達システムは、図４Ａ〜図４Ｃに関係して以下に検討される。これらの滅菌帯において用いられ得る滅菌システムの様々な実施形態は、図５ＡＤおよび図６〜図８に関係して以下に検討される。多くの流体システム構成要素は、図３Ａ〜図３Ｂの流体送達システム３００Ａ、３００Ｂに１つもしくはそれ以上の滅菌帯を組み込むことなく、典型的には、流体目標３１８ごとのベースで変更され、捨てられる。このことは、例えば、全体のチュービングセット３０７と、流体貯槽３０２と、図３Ａの注射器３１２と、図３Ｂのインゼクタ／注射器３０６ｂとを、流体目標３１８から出る汚染物質に露出され得る他の流体経路構成要素と共に、含み得る。流体貯槽３０２が、捨てられ、引き続きの流体目標３１８のために取り替えられるとき、流体貯槽３０２内の流体はどれも、典型的には廃棄される。少なくとも特定の例において、捨てられた流体は、高価な製品（例えば、造影剤）であり得る。
【００７９】
図４Ａは、チュービングセット３０７によって少なくとも１つの滅菌帯３１６および流体目標３１８に流体的に相互に接続される流体源３１４を有する流体送達システム４００Ａの一実施形態の略図を提示する。流体源３１４は、任意の適切なサイズ、形状、構成、および／またはタイプであり得る。様々な実施形態において、流体源３１４は、単独でまたは送達デバイスと組み合せて流体貯槽を含み得、ここで送達デバイスは、流体が流体目標３１８に到達する前に少なくとも１つの滅菌帯３１６を通って流体を向け得るインゼクタまたは他の機構を含む。流体貯槽および送達デバイスは、図３Ａ〜図３Ｂの流体貯槽３０２およびインゼクタ３０６ａ、３０６ｂなどの別個の構成要素であり得るか、または単一のユニットに一体化され得る。任意の分離した流体貯槽および送達デバイスは、滅菌帯３１６および／または流体目標３１８に対して任意の適切な配置に置かれ得る。様々な実施形態において、流体送達システム４００Ａは、複数の流体源３１４、滅菌帯３１６、および／または流体目標３１８を含み得る。
【００８０】
任意の適切な数の滅菌帯３１６が、利用され得る。いずれの場合においても、チュービングセット３０７は、概して流体目標３１８と少なくとも１つの滅菌帯３１６（例えば、最も隣接した滅菌帯３１６）との間に配置される使い捨て部３０８と、概して流体源３１４と少なくとも１つの滅菌帯３１６（例えば、最も隣接した滅菌帯３１６）との間に配置される再使用可能部３０９とを有する。各滅菌帯３１６は少なくとも１つの滅菌システムを含み、該少なくとも１つの滅菌システムは、チュービングセット３０７を通って逆流し、流体源３１４に到達する、流体目標３１８からの汚染物質の可能性を減少させ、従って流体源３１４が複数の流体目標３１８のために再使用されることを可能にすることによって廃棄物を減少させる。
【００８１】
図４Ｂは、流体送達システム４００Ｂの別の実施形態を例示し、流体送達システム４００Ｂは、チュービングセット３０７によって１つもしくはそれ以上の滅菌帯３１６および１つの流体目標３１８に流体的に相互に接続される２つの流体源３１４を有する。チュービングセット３０７は、少なくとも流体目標３１８から少なくとも１つの滅菌帯３１６（例えば、最も隣接した滅菌帯３１６）に延びる使い捨て部３０８と、流体源３１４のうちの少なくとも１つから少なくとも１つの滅菌帯３１６（例えば、最も隣接した滅菌帯３１６）に延びる再使用可能部３０９もまた含む。一実施形態において、２つの流体源３１４は、それぞれ流体貯槽３０２とインゼクタ３０６とを含み、ここでインゼクタ３０６は、パワーインゼクタ、手動注射器、または上記のように任意の他の適切な送達デバイスの形態であり得る。流体は、流体貯槽３０２から少なくとも１つの滅菌帯３１６（例示される実施形態において単一の滅菌帯３１６）を通ってインゼクタ３０６に到達する。インゼクタ３０６は次いで、少なくとも１つの滅菌帯３１６（例示される実施形態において単一の滅菌帯３１６）を通り、流体目標３１８に到達するように流体を向ける。流体送達システム４００Ｂは、複数の滅菌帯３１６のうちの１つのみを用いることを含む任意の適切な数の滅菌帯３１６を利用し得る。いずれの場合においても、各滅菌帯３１６は少なくとも１つの滅菌システムを含み、該少なくとも１つの滅菌システムは、チュービングセット３０７を通って逆流し、流体貯槽３０２を含む流体源３１４に到達する、流体目標３１８からの汚染物質の可能性を減少させ、従って流体貯槽３０２が複数の流体目標のために再使用されることを可能にすることによって廃棄物を減少させる。インゼクタ３０６と流体目標３１８との間の滅菌帯３１６を利用する実施形態において、インゼクタ３０６の構成要素はまた、流体目標３１８から出る汚染から保護され得る。
【００８２】
図４Ｃは、流体送達システム４００Ｃの別の実施形態を示し、流体送達システム４００Ｃは、チュービングセット３０７によって複数の流体源３１４および１つもしくはそれ以上の滅菌帯３１６に流体的に相互に接続される流体目標３１８を有し、ここで各滅菌帯３１６は、上記のように少なくとも１つの滅菌システムを含む。チュービングセット３０７は再び、少なくとも流体目標３１８から少なくとも１つの滅菌帯３１６に延びる使い捨て部３０８を含む。チュービングセット３０７はまた、１つもしくはそれ以上の再使用可能部３０９を有し、ここで再使用可能部３０９は、複数の流体源３１４のうちの少なくとも１つから、少なくとも、流体源３１４と、もしあれば流体目標３１８との間に配置される滅菌帯３１６までも延びる。図４Ｂの流体送達システム４００Ｂにおけるように、複数の流体源３１４は、それぞれ流体貯槽３０２とインゼクタ３０６とを含む。第１の段階において、流体は、流体貯槽３０２から、オプションで１つもしくはそれ以上の滅菌帯３１６を通過してインゼクタ３０６に流れ得る。次の段階において、流体は、インゼクタ３０６から、オプションで１つもしくはそれ以上の滅菌帯３１６を通過して流体目標３１８に流れ得る。例示される実施形態は３つの滅菌帯３１６を用いるが、流体送達システム４００Ｃは任意の適切な数の滅菌帯を含むように適合され得る（例えば、１つのみまたは２つの滅菌帯３１６を用いる）。流体送達システム４００Ｃにどの滅菌帯３１６が含まれるかに従って、１つまたは両方の流体源３１４が流体目標３１８から出る汚染から保護され得る。
【００８３】
図５Ａ〜図５Ｄは、上記の図３Ａ〜図３Ｂおよび図４Ａ〜図４Ｃの流体送達システム３００Ａ〜Ｂおよび４００Ａ〜Ｃ、または任意の他の適切な流体送達システムによって用いられ得る滅菌システムの様々な実施形態を例示する。まず図５Ａを参照すると、中間チャンバ滅菌システム５００Ａは、フラッシュ（ｆｌｕｓｈ）システム５２０と容器５０２ａとを含む。フラッシュシステム５２０は、フラッシュ源５０８とフラッシュレセプタクル５１０との両方を含み、フラッシュ源５０８およびフラッシュレセプタクル５１０は各々、それぞれ第１の入口ポート５０４および第１の出口ポート５０６を介して容器５０２ａに流体的に相互に接続可能である。フラッシュ源５０８は、アルコールと、水蒸気と、ＥＴＯと、滅菌流体と、水と、空気と、不活性ガスと、複数の不活性ガスの組み合わせと、漂白剤と、過酸化水素水と、酸素と、任意の適切な乾燥剤と、これらの任意の組み合わせとを含むが、これらに限定されない任意の適切なフラッシュ媒体を含み得る。フラッシュ源５０８は、単一のフラッシュ媒体または２つもしくはそれ以上の異なるフラッシュ媒体の組み合わせを利用し得、該媒体は、フラッシュ源５０８によって任意の適切な方法および任意の適切な順序で送達され得る。各フラッシュ媒体は、任意の適切な機能または複数の機能の組み合わせを提供し得る。複数のフラッシュ媒体は、任意の適切な基準で容器５０２ａを介して向けられ得る。
【００８４】
フラッシュ源５０８は、本明細書において言及された機能を提供する任意の適切な構成で有りあり得る。フラッシュレセプタクル５１０もまた、例えば、保管容器もしくは廃棄物排水管または類似のものの形態などの任意の構成であり得る。容器５０２ａの第１の入口ポート５０４および／または第１の出口ポート５０６は、任意の追加のポートも同様に、例えば、逆止め弁システムを用いて受動的に動作するように配置され得る。代わりに、該ポートは、プッシュポートまたはツイストポートなどの手動の構成要素を利用し得るか、または電磁弁作動システムまたは他の自動システムを用い得る。容器５０２ａのポート５０４、５０６は、任意の他の容器ポートも同様に、どの流れ制御機能も組み込む必要はない。代わりに、流れ制御機能は、弁または任意の導管の中に組み込まれた類似のものによって提供され得る。中間チャンバ滅菌システム５００Ａはまた、１つもしくはそれ以上の流れ調節器を用い、フラッシュ源５０８、フラッシュレセプタクル５１０、流体源３１４、および／または流体目標３１８に容器５０２ａを流体的に相互に接続し、そしてそれらから容器５０２ａを切断／隔離することを容易にし得る。そのような流れ調節器の各々は、任意の適切なサイズ、形状、構成、および／またはタイプであり得、１つもしくはそれ以上の信号に基づくかまたはこれらの方法の任意の組み合わせを用いて、受動的、自動的に、手動で動作するように設計され得る。
【００８５】
滅菌システム５００Ａの場合における流体送達段階中に、第１の入口ポート５０４は流体源流れ調節器５１２ａを介して流体源３１４に流体的に相互に接続され、第１の出口ポート５０６は流体目標調節器５１２ｂを介して流体目標３１８に流体的に相互に接続される。フラッシュ源流れ調節器５１２ｃおよびフラッシュレセプタクル流れ調節器５１２ｄは、閉鎖位置のままであり、その結果、フラッシュ源５０８およびフラッシュレセプタクル５１０から流体的に切断されるかまたは隔離される。それによって第１の流体量は、流体源３１４から容器５０２ａの中に向けられ得、その後、第１の流体量の少なくとも一部は、容器５０２ａから流体目標３１８に向けられ得る。
【００８６】
所望の量の流体が流体目標３１８に送達された後に、流体目標３１８への流体の流れは、任意の適切な方法で終結させられ得る（例えば、流体目標流れ調節器５１２ｂによって）。さらに容器５０２ａ内の流体量は、残りの流体の少なくとも一部を流体源３１４に戻すように流れの方向を逆にすることによって、減少させられ得るか、または容器５０２ａは残りの流体を空にされ得る。この技術を用いる実施形態において、流体目標３１８からの流体の逆流を防ぐことが必要であり得、このことは、例えば、第１の出口ポート５０６および／または流体目標流れ調節器５１２ｂを閉じ、流体目標３１８から容器５０２ａを流体的に切断するかまたは隔離することによって、達成され得る。さらにまたは代わりに、容器５０２ａは、流体目標流れ調節器５１２ｂを閉じるかまたはそうでなければ流体目標３１８から容器５０２ａを流体的に切断するかもしくは隔離すること、フラッシュレセプタクル流れ調節器５１２ｄを開くこと、および次いで第１の出力ポート５０６を通ってフラッシュレセプタクル５１０の中に任意の残りの流体を抜き取ることによって、空にされ得る。別の局面において、１つもしくはそれ以上の流れ調節器は、流体源３１４および流体目標３１８から容器５０２ａを流体的に切断するかまたは隔離し、フラッシュ源５０８およびフラッシュレセプタクル５１０に容器５０２ａを流体的に接続するように構成され得る。容器５０２ａは次いで、フラッシュ源５０８から第１の入口ポート５０４を通って容器５０２ａの中にフラッシュ媒体を向け、容器５０２ａから出て第１の出口ポート５０６を通って、フラッシュレセプタクル５１０の中にフラッシュ媒体を向けることによって、洗浄され（ｆｌｕｓｈｅｄ）得る。
【００８７】
中間チャンバ滅菌システム５００Ｂの別の実施形態は、図５Ｂに描かれ、図５Ａの容器５０２ａのすべての特徴プラス第２の入口ポート５１４を有する容器５０２ｂを含む。フラッシュ源５０８とフラッシュレセプタクル５１０とを含むフラッシュシステム５２０ｉは、容器５０２ｂと流体的に接続可能であるが、図５Ａに提示される配置とは異なる配置である（そしてそれによって、フラッシュシステム５２０ｉを識別するために上付き記号「ｉ」が利用される）。フラッシュ源５０８は、第２の入口ポート５１４に流体的に相互に接続され、第２の入口ポート５１４は、１つもしくはそれ以上の流れ調節器を用い、第１の入口ポート５０４を流体源３１４およびフラッシュ源５０８のうちの１つに選択的に相互に接続する必要性を除去し得る。流体が流体目標３１８に送達されている間、第１の入口ポート５０４および第１の出口ポート５０６ならびに流体目標流れ調節器５１２ｂは開いており、一方、第２の入口ポート５１４およびフラッシュレセプタクル流れ調節器５１２ｄは閉じたままである。容器５０２ｂは次いで、第１の出口ポート５０６および／または流体目標流れ調節器５１２ｂを閉じることによって、流体目標３１８から流体的に切断されるかまたは隔離され得、その後、容器５０２ｂ内の残りの流体の少なくとも一部は、上記のように流体源３１４の中に戻され、空にされ得る。さらにまたは代わりに、容器５０２ｂは、第１の出口ポート５０６およびフラッシュレセプタクル流れ調節器５１２ｄを開いた後にかつ流体流れ調節器５１２ｂを閉じた後に、フラッシュレセプタクル５１０の中に移され得る。一旦、第１の出口ポート５０６を介して容器５０２ｂを離れる流れは、流体目標３１８からフラッシュレセプタクル５１０に再度向けられ、容器５０２ｂ内の残りの流体の少なくとも一部が除去されるかどうかまたは何の方法で除去されるかに関わらず、第１の入口ポート５０４は閉じられ得、第２の入口ポート５１４は開かれ得る。容器５０２ｂは次いで、少なくとも概して図５Ａの実施形態に関して論議された方法で、フラッシュ源５０８から第２の入口ポート５１４を通って容器５０２ｂの中に少なくとも１つのフラッシュ媒体を向けることによって、滅菌され得る。
【００８８】
別の実施形態において、中間チャンバ滅菌システム５００Ｃは、図５Ｃに示されるように、図５Ｂの容器５０２ｂのすべての特徴プラス第２の出口ポート５１６を有する容器５０２ｃを含む。フラッシュ源５０８とフラッシュレセプタクル５１０とを含むフラッシュシステム５２０ｉｉは、容器５０２ｃと流体的に接続可能であるが、図５Ａ〜図５Ｂに提示される配置とは異なる配置である（そしてそれによって、フラッシュシステム５２０ｉｉを識別するために上付き記号「ｉｉ」が利用される）。この構成は、容器５０２ｃが外部の流れ調節器の必要なく流体源３１４および流体目標３１８かまたはフラッシュ源５０８およびフラッシュレセプタクル５１０のいずれかと選択的な流体連絡をすることを可能にする。流体が流体目標３１８に送達された後に、容器５０２ｃは、任意の適切な方法によって、流体目標３１８から流体的に切断されるかまたは隔離され得る。容器５０２ｃ内の残りの流体の少なくとも一部は、まず第２の入口ポート５１４（例えば、フラッシュポート）ならびに第１の出口ポート５０６および第２の出口ポート５１６（例えば、第２の出口ポート５１６はフラッシュポートを呼ばれ得る）を閉じ、第１の入口ポート５０４を開くことによって、上記のように除去され、流体源３１４の中に向けられ得る。さらにまたは代わりに、容器５０２ｃ内の残りの流体の少なくとも一部は、まず第１の入口ポート５０４および第１の出口ポート５０６を閉じ、第２の出口ポート５１６を開いた後に、フラッシュレセプタクルの中に向けられ得る。容器５０２ｃは、少なくとも概して図５Ａの実施形態に関して上で論議された方法で、第２の入口ポート５１４をさらに開き、次いでフラッシュ源５０８から第２の入口ポート５１４を通って容器５０２ｃの中に少なくとも１つのフラッシュ媒体を向け、容器５０２ｃから出て第２の出口ポート５１６を通って、フラッシュレセプタクル５１０の中に少なくとも１つのフラッシュ媒体を向けることによって、洗浄され得る。
【００８９】
図５Ｄは中間チャンバ滅菌システム５００Ｄの別の実施形態を例示し、中間チャンバ滅菌システム５００Ｄは、第１の入口ポート５０４を有する容器５０２ｄと、第１の出口ポート５０６と、フラッシュポート５１８とを含み、ここでフラッシュポート５１８は、フラッシュ源５０８およびフラッシュレセプタクル５１０と選択的に流体連絡する。フラッシュ源５０８とフラッシュレセプタクル５１０とを含むフラッシュシステム５２０ｉｉｉは、容器５０２ｄと流体的に接続可能であるが、図５Ａ〜図５Ｃに提示される配置とは異なる配置である（そしてそれによって、フラッシュシステム５２０ｉｉｉを識別するために上付き記号「ｉｉｉ」が利用される）。流体が流体目標３１８に送達された後に、容器５０２ｄは、流体目標３１８から流体的に切断されるかまたは隔離され得る。容器５０２ｄ内の残りの流体の少なくとも一部は次いで、フラッシュポート５１８および第１の出口ポート５０６を閉じ、次いで第１の入口ポート５０４を介して流体源３１４に残りの流体の少なくとも一部を戻すように向けることによって、除去され得る。代わりにまたはさらに、容器５０２ｄ内の残りの流体の少なくとも一部は、第１の入口ポート５０４および第１の出口ポート５０６を閉じ、フラッシュ源流れ調節器５１２ｃを閉じ、そしてフラッシュレセプタクル流れ調節器５１２ｄを開いた後に、フラッシュポート５１８を介してフラッシュレセプタクル５１０の中に向けられ得る。容器５０２ｄを洗浄することは、フラッシュ源５０８からフラッシュポート５１８を介して容器５０２ｄの中に少なくとも１つのフラシュ媒体を向け、次いで容器５０２ｄからこのフラッシュ媒体を除去し、同じフラッシュポート５１８を介して該フラッシュ媒体を出し、フラッシュレセプタクル５１０に同じフラッシュ媒体を向けることを伴い得る。このプロセス中、流れ調節器５１２ｃ、５１２ｄは、交互に開かれそして閉じられ、フラッシュポート５１８と、必要に応じてフラッシュ源５０８またはフラッシュレセプタクル５１０との間に流体連絡を確立し得る。代わりに、流れ調節器５１２ｃ、５１２ｄは、一定方向性を持ち得、その結果、流れ調節器５１２ｃ、５１２ｄの各々は、図５Ｄにおいて矢印で示されるように、流体が一方向にのみ流れることを可能にする。
【００９０】
図５Ａ〜図５Ｄの容器５０２ａ〜ｄのためのポートの各々は、流れ制御機能（例えば、弁）を組み込み得るかまたは組み込まない場合がある。図５Ａ〜図５Ｄの実施形態に関係して言及された様々な構成要素の流体の切断または隔離は、言及された構成要素間の流体連絡を確立し得るように、任意の適切な方法で実現され得る。容器５０２ａ〜ｄの各々を洗い流すことは、一般的なフラッシュ媒体または２つもしくはそれ以上のフラッシュ媒体の組み合わせを用いて１回もしくはそれ以上繰り返され得る。少なくとも１つのフラッシュ動作は、関連する容器５０２ａ〜ｄに対する滅菌機能を提供し得る。例えば、容器５０２ａ〜ｄを滅菌することは、まず容器５０２ａ〜ｄをアルコールで洗浄し、次に容器５０２ａ〜ｄを水で洗浄し、そして最後に容器５０２ａ〜ｄを不活性ガスまたは他の乾燥剤で洗浄することを含み得るが、これに限定されない。
【００９１】
１つもしくはそれ以上の中間チャンバ滅菌システム５００Ａ〜Ｄは、上記の流体送達システム４００Ａ〜Ｃの任意の１つもしくはそれ以上の滅菌帯３１６に位置を決められ得る。従って、前述の論議は、流体源３１４および流体目標３１８に容器５０２ａ〜ｄを流体的に相互に接続すること、ならびに流体源３１４および流体目標３１８から容器５０２ａ〜ｄを流体的に切断または隔離することに言及したが、それらの接続は間接的であり得ることが理解される。例えば、中間チャンバ滅菌システム５００Ａ〜Ｄが図４Ｂの流体送達システム４００Ｂの２つの流体源３１４の間に位置を定められた滅菌帯３１６において用いられるとき、中間チャンバ滅菌システム５００Ａ〜Ｄは、インゼクタ３０６に直接に接続され得、流体目標３１８には間接的にのみ接続され得る。
【００９２】
図６は、上記の図３Ａ〜図３Ｂおよび図４Ａ〜図４Ｃの流体送達システム３００Ａ〜Ｂおよび４００Ａ〜Ｃ、または任意の他の適切な流体送達システムによって用いられ得る滅菌システム６００の別の実施形態を例示する。滅菌システム６００はエネルギ源６０２と流れ経路６０４とを含み、ここで、長さＬを有する、流れ経路６０４の少なくとも一部がエネルギ源６０２の出力に露出され得る。エネルギ源６０２は、熱、放射線、または他の放射性エネルギの供給源であって、これに限定されない供給源を含み得、該供給源は、例えば、流れ経路６０４を通過する流体に存在するバクテリアまたは他の汚染物を無力にしかつ／または除去することによって、特定レベルの露出が与えられる流れ経路６０４における流体の汚染レベルを低減する能力がある（例えば、熱、γ放射線、紫外放射線、赤外光およびこれらの任意の組み合わせ）。汚染レベルを低減することは、特定の露出時間の間、ある温度または放射量に流体を露出することを包含し得、ここで、特定の露出時間は、少なくとも、許容可能程度の確実性で許容可能レベルまで汚染の低減を確実にするほど十分長い。汚染は、汚染が流体を通って拡散するかまたはそうでなければ隣接した物質の要素に広がり得る最大伝播速度をさらに有し得る。長さＬに対する最大値は次いで、汚染の最大伝播速度に特定の露出時間を掛けることによって計算され得る。流体目標３１８の方向から流れ経路６０４の露出された部分に入る汚染は、流体源３１４の方向に露出された部分を越えて伝播することを防がれるべきである。滅菌システム６００は１つもしくはそれ以上の滅菌帯３１６において利用され得、その結果、流体源３１４と流体目標３１８との間を流れる流体は、流れ経路６０４を通過し、それによってエネルギ源６０２の出力に露出される。このように、流体目標３１８から流体送達システム４００Ａ〜Ｃに入る汚染物は、流体源３１４に浸透することを防がれるべきである。
【００９３】
図７Ａ〜図７Ｃは、上記の図３Ａ〜図３Ｂおよび図４Ａ〜図４Ｃの流体送達システム３００Ａ〜Ｂおよび４００Ａ〜Ｃ、または任意の他の適切な流体送達システムによって用いられ得る滅菌システムの別の実施形態の概略図（例えば、破断図）を提示する。自己滅菌流れ制御デバイス７００は、内部表面７０５を有するハウジング７０４内に可動に配置されるプランジャ７０２を含む。この内部表面７０５は、流体流れのための導管または流れ経路を画定し得るか、流れ制御デバイス７００内の流体とインタフェースし得るか、またはその両方を行い得る。第１のシール７０６および第２のシール７０８は、プランジャ７０２に、かつプランジャ７０２に沿って間隔を空けて取り付けられ、ハウジング７０４の内部表面７０５と係合する。第１の滅菌物質７１０は、第１のシール７０６と第２のシール７０８との間に含まれ、その結果、第１のシール７０６および第２のシール７０８を通る汚染物はどれも第１の滅菌物質７１０と遭遇する。さらに、第３のシール７１２および第４のシール７１４は、第１のシール７０６および第２のシール７０８からある距離をおいて、プランジャ７０２に、かつプランジャ７０２に沿って間隔を空け、取り付けられる。第２の滅菌物質７１６は、第３のシール７１２と第４のシール７１４との間に配置され得る。第１の滅菌物質７１０および第２の滅菌物質７１４はまた、ハウジング７０４の内部表面７０５と係合し、その結果、ハウジング７０４内においてプランジャ７０２を動かすことは、内部表面７０５の少なくとも一部に沿って滅菌物質７１０、７１６をぬぐい、内部表面７０５上の汚染物を処理する。滅菌物質７１０、７１６の各々は、滅菌液、滅菌ゲル、滅菌ガス、およびこれらの任意の組み合わせ、またはスポンジ、布、多孔性物質、親水性物質、および、適切な特性を有する任意の適切な薬剤がしみ込まされたそれらのものの任意の組み合わせを含み得るが、これらに限定されない。
【００９４】
自己滅菌流れ制御デバイス７００はまた、第１の流れ通路７１８と第２の流れ通路７２０とを有し、ここで、第１の流れ通路７１８は、流体源３１４と流体的に相互に接続され得る。第１のシール７０６および第２のシール７０８によって画定されるシールペアと第３のシール７１２および第４のシール７１４によって画定されるシールペアとの間のプランジャ７０２に取り付けられる第５のシール７２８は、図７Ａに例示されるように、プランジャ７０２が閉鎖位置にあるとき、第１の流れ通路７１８と第２の流れ通路７２０との間の流体連絡を塞ぐように場所を定められる。従って、第１の流れ通路７１８に入る流体７２２は、自己滅菌流れ制御デバイス７００が閉鎖位置にある状態で、第５のシール７２８までのみ流れる。自己滅菌流れ制御デバイス７００はまた、プランジャ７０２とハウジング７０４の端部壁７２４との間に係合される付勢部材７２６を含み、ここで、付勢部材７２６は、図７Ａの閉鎖位置の方にプランジャ７０２を付勢する。付勢部材７２６は、図７Ａにおいてスプリングとして表されているが、図７の閉鎖位置にプランジャを付勢する任意の適切な方法が（例えば、任意の適切なサイズ、形状、構成、および／またはタイプの１つもしくはそれ以上の付勢部材を用いて）自己滅菌流れ制御デバイス７００によって利用され得ることは理解されるべきである。
【００９５】
図７Ａの自己滅菌流れ制御デバイス７００はまた、キャップ７３０を含む。キャップ７３０は、ハウジング７０４の端部に取り外し可能に取り付けられる。一実施形態においてキャップ７３０は、ハウジング７０４の端部に場所を定められる螺旋状のねじ切り７３２にねじ込む。しかしながら、キャップ７３０が任意の適切な方法でハウジング７０４と取り外し可能にインタフェースし得ることは理解されるべきである。
【００９６】
図７Ｂは、図７Ａの自己滅菌流れ制御デバイス７００と連結して用いられるための流体目標側面コネクタ７４０の概略図（例えば、破断図）である。コネクタハウジング７４２は、第１の部材７４６を含み、第６のシール７４８および第７のシール７５０が第１の部材７４６に取り付けられる。第３の流れ通路７５２は、第６のシール７４８と第７のシール７５０との間の第１の部材７４６の側壁７４７と交差し、第１の部材７４６を通って延び、その結果、第３の流れ通路７５２は、流体目標３１８と流体的に相互に接続され得る。保護カバー７４４は、コネクタハウジング７４２の端部に取り外し可能に取り付けられ、ここで、保護カバー７４４は、ピールオフ（ｐｅｅｌ−ｏｆｆ）カバーまたは任意の適切なカバーとして実装され得る。コネクタハウジング７４２に保護カバー７４４を取り外し可能に取り付ける任意の方法が利用され得る。目標側面コネクタ７４０はまた、コネクタハウジング７４２の内壁７５６に場所を定められる螺旋状ねじ切り７５４を有し、ハウジング７０４の端部上の螺旋状のねじ切り７３２とねじ込み可能に係合し得る。しかしながら、自己滅菌流れ制御デバイス７００に流体目標側面コネクタ７４０を結合させるための任意の適切な方法が利用され得る。
【００９７】
保護カバー７４４がコネクタハウジング７４２から取り外された後に（図７Ｂ）、そしてキャップ７３０が自己滅菌流れ制御デバイス７００のハウジング７０４から取り外された後に（図７Ａ）、流体目標側面コネクタ７４０は、図７Ｃに示されるように、自己滅菌流れ制御デバイス７００に相互に接続され得る。自己滅菌流れ制御デバイス７００に流体目標側面コネクタ７４０を結合することによって、流体目標側面コネクタ７４０の第１の部材７４６は、自己滅菌流れ制御デバイス７００のプランジャ７０２と係合し、図７Ａの閉鎖位置から離れるように自己滅菌流れ制御デバイス７００のプランジャ７０２を押し、それによって内部表面７０５の部分に沿って滅菌物質７１０、７１６をぬぐい、流体が流体目標３１８に送達される前に内部表面７０５上のどの汚染物をも処理する。一旦流体目標側面コネクタ７４０が自己滅菌流れ制御デバイス７００と完全に係合されると、プランジャ７０２は、図７Ｃのプランジャ７０２の開放位置に配置され、その結果、第５のシール７２８は、自己滅菌流れ制御デバイス７００の第１のフロー通路７１８と第２のフロー通路７２０との間の流体連絡をもはや塞がない。さらに、流体目標側面コネクタ７４０の第３のフロー通路７５２はこのとき、自己滅菌流れ制御デバイス７００の第２の流れ通路７２０に整列し、その結果、第１の流れ通路７１８、第２の流れ通路７２０、および第３の流れ通路７５２は、連続的流れ経路７５８を形成する。流体目標側面コネクタ７４０の第６のシール７４８および第７のシール７５０は、自己滅菌流れ制御デバイス７００のハウジング７０４の内部表面７０５と係合し、流体目標側面コネクタ７４０の第３の流れ通路７５２の中に流体を導く。このようにして、流体源３１４から自己滅菌流れ制御デバイス７００に入る流体７２２は、連続的流れ経路７５８を通って流体目標３１８の方に流れ得る。
【００９８】
一旦所望の量の流体が流体目標３１８に送達されると、または所望の量の流体が流体目標３１８に送達された後に、流体目標側面コネクタ７４０は自己滅菌流れ制御デバイス７００から切断され得る。目標側面コネクタ７４０を取り外すことによって、付勢部材７２６が図７Ａに例示される閉鎖位置にプランジャ７０２を戻すように動かすことを可能にする。プランジャ７０２のこの動作によって、同様に滅菌物質７１０、７１６は再びハウジング７０４の内部表面７０５の部分に沿ってぬぐわれ、それによって流体目標３１８に流体を送達した後に、内部表面７０５に残されたどの汚染物も処理する。
【００９９】
図８は、自己滅菌流れ制御デバイス８００の別の実施形態の略図（例えば、破断図）であり、自己滅菌流れ制御デバイス８００は図７Ａ〜図７Ｃの自己滅菌流れ制御デバイス７００の滅菌原理の少なくとも一部を少なくとも概して利用する。図７Ａ〜図７Ｃの実施形態および図８の実施形態間の対応する構成要素は、同じ参照数字で識別される。少なくともある点で異なるそれらの対応する構成要素は、「シングルプライム」符号によってさらに識別される。自己滅菌流れ制御デバイス８００は、内部表面７０５’を有するハウジング７０４’内に可動に配置されるプランジャ７０２’を含む。第１のシール７０６および第２のシール７０８は、プランジャ７０２’に取り付けられ、プランジャ７０２’に沿って間隔を空けて置かれ、ハウジング７０４’の内部表面７０５’と係合する。滅菌物質７１０は、第１のシール７０６と第２のシール７０８との間に含まれ、その結果、第１のシール７０６および第２のシール７０８を通ろうとする汚染物は、どれも滅菌物質７１０に遭遇する。滅菌物質７１０はまた、ハウジング７０４’の内部表面７０５’と係合し、その結果、ハウジング７０４’内においてプランジャ７０２’を動かすことは、内部表面７０５’の少なくとも一部に沿って滅菌物質７１０をぬぐい、内部表面７０５’上の汚染物を処理する。
【０１００】
例示された実施形態において、自己滅菌流れ制御デバイス８００は概して注射器として構成され、ここで、ハウジング７０４’は、注射器のバレルを形成し、ノズル７６０をさらに含む。プランジャ７０２’は、ハウジング７０４’の端部を越えて延び得、プランジャ７０２’を手動で前進させるためのハンドル７６２を含み得るがこれに限定されない。代わりに、プランジャ７０２’は、図２Ｂ〜図２Ｃの注射器プランジャカプラ９４を含めることによるなど、パワーインゼクタにプランジャ７０２’を結合する任意の手段を含み得る。自己滅菌流れ制御デバイス８００に充填することは、プランジャ７０２を引き込み、ノズル７６０を通ってハウジング７０４’の中に流体を引くか、またはそうでなければ流体が流れ込むことを可能にすることを伴い得、一方、自己滅菌流れ制御デバイス８００を排出することは、プランジャ７０２を前進させ、ノズル７６０を通って流体を吐き出すことを含む。従って、ハウジング７０４’の内部表面７０５’の少なくとも一部分は、プランジャ７０２’の前進による注入の前および／または後ごとに滅菌処理を受ける。
【０１０１】
図５Ａ〜図８の滅菌システム５００Ａ〜Ｄおよび６００、７００、および８００の各々またはこれらの任意の組み合わせは、図３Ａ〜図３Ｂおよび図４Ａ〜図４Ｃの流体送達システム３００Ａ〜Ｂおよび４００Ａ〜Ｃのそれぞれ、または流体目標３１８から１つもしくはそれ以上の流体源３１４への可能性のある戻り汚染を低減するのに適切な任意の他の流体送達システムの中に組み込まれ得る。さらに上記に説明された滅菌システムの要素は、他の実施形態を作るように組み合わされ得、例えば、図６のエネルギ源６０２は、容器５０２ａ〜ｄ内の汚染を低減する追加または代替の方法として、図５Ａ〜図５Ｄの中間チャンバ滅菌システム５００Ａ〜Ｄの任意の容器５０２ａ〜ｄとインタフェースするように構成され得る。いずれの場合においても、流体は、汚染物が流体源３１４に浸透する危険が少ない状態で流体目標３１８に提供され、その結果、流体源３１４は、次の流体目標３１８のために再使用され得る。チュービングセット３０７の再使用可能部３０９などの、流体目標３１８から滅菌帯３１６の反対に位置を定められる他の流体送達構成要素はまた、連続的流体目標３１８のために再使用される汚染から十分に保護され得る。多くの結果として生じる利点のうちの一部は、包装費の低減と、連続的流体目標３１８間に交換される部品の減少による処置時間の短縮と、流体廃棄物の減少と、高価な物質または高純度物質のより安全な送達とを含み得る。
【０１０２】
本発明の前述の説明は、例示および説明の目的のために提示された。さらに、本説明は本明細書に開示された形態に本発明を限定することは意図されない。従って、上記教示と同等の変形および修正ならびに関連技術の技能および知識は、本発明の範囲内である。本明細書において上記に説明された実施形態は、本発明を実施する、既知の最良の方式を説明し、他の当業者がそのようなまたは他の実施形態において、そして本発明の特定の用途または使用法によって必要とされる様々な修正によって、本発明を利用することを可能にすることがさらに意図される。添付の特許請求の範囲が先行技術によって許容される程度まで代替の実施形態を含むように解釈されることが意図される。
【図１】
0005425159.tif 000002
【図２Ａ】
0005425159.tif 000003
【図２Ｂ】
0005425159.tif 000004
【図２Ｃ】
0005425159.tif 000005
【図３Ａ】
0005425159.tif 000006
【図３Ｂ】
0005425159.tif 000007
【図４Ａ】
0005425159.tif 000008
【図４Ｂ】
0005425159.tif 000009
【図４Ｃ】
0005425159.tif 000010
【図５Ａ】
0005425159.tif 000011
【図５Ｂ】
0005425159.tif 000012
【図５Ｃ】
0005425159.tif 000013
【図５Ｄ】
0005425159.tif 000014
【図６】
0005425159.tif 000015
【図７Ａ】
0005425159.tif 000016
【図７Ｂ】
0005425159.tif 000017
【図７Ｃ】
0005425159.tif 000018
【図８】
0005425159.tif 000019